(57)【要約】      （修正有）【課題】  デカップリングコンデンサとして好適な低ＥＳＬ及び高ＥＳＲの積層コンデンサを提供する。【解決手段】  誘電体層を介して向き合う一方の内部電極層及び他方の内部電極層はそれぞれ４個の分割電極から構成され、一方の内部電極層を構成する４個の分割電極それぞれは他方の内部電極層を構成する４個の分割電極のうちの２個の分割電極と対向している。一方の内部電極層を構成する４個の分割電極と他方の内部電極層を構成する４個の分割電極には、積層方向と直交する方向で交互に間隔をおいて並ぶように、それぞれ１個の引出し部が設けられ、一方の内部電極層側の４個の引出し部は４個の外部電極とそれぞれ導通し、他方の内部電極層側の４個の引出し部は残りの４個の外部電極とそれぞれ導通している。【選択図】  図１２
2006278649.tif 000002
【特許請求の範囲】
【請求項１】
内部電極層と誘電体層とが交互に配された積層チップと、誘電体層を介して向き合う一方の内部電極層と他方の内部電極層とに異なる極性を付与するための複数の外部電極とを備えた積層コンデンサであって、
誘電体層を介して向き合う一方の内部電極層及び他方の内部電極層はそれぞれ複数の分割電極から構成されていて、
一方の内部電極層を構成する複数の分割電極それぞれには１以上の引出し部が設けられ各引出し部は同数の外部電極とそれぞれ導通し、且つ、他方の内部電極層を構成する複数の分割電極それぞれには１以上の引出し部が設けられ、各引出し部は同数の外部電極とそれぞれ導通し、
一方の内部電極層を構成する複数の分割電極それぞれは他方の内部電極層を構成する複数の分割電極のうちの２以上の分割電極と対向している、
ことを特徴とする積層コンデンサ。
【請求項２】
一方の内部電極層側の複数の引出し部と他方の内部電極層側の複数の引出し部とは積層方向と直交する方向で交互に間隔をおいて並んでいる、
ことを特徴とする請求項１に記載の積層コンデンサ。
【請求項３】
一方の内部電極層の分割電極パターンと他方の内部電極層の分割電極パターンが異なっている、
ことを特徴とする請求項１または２に記載の積層コンデンサ。
【請求項４】
一方の内部電極層を構成する分割電極の数と他方の内部電極層を構成する分割電極の数とが一致している、
ことを特徴とする請求項１〜３の何れか１項に記載の積層コンデンサ。
【請求項５】
一方の内部電極層を構成する分割電極の数と他方の内部電極層を構成する分割電極の数とが異なる、
ことを特徴とする請求項１〜３の何れか１項に記載の積層コンデンサ。
【請求項６】
各内部電極層を構成する複数の分割電極それぞれの対向面積が実質的に同じである、
ことを特徴とする請求項１〜５の何れか１項に記載の積層コンデンサ。
【発明の詳細な説明】
【技術分野】
【０００１】
本発明は、高周波ノイズを高効率で吸収可能な積層コンデンサに関する。
【背景技術】
【０００２】
動作周波数の高周波数化が求められているＣＰＵ等のＬＳＩの周囲には、ＬＳＩで発生した高周波ノイズが他の回路に流れ込むことを防止するために、デカップリンクコンデンサと称される高周波ノイズ吸収用の積層コンデンサが配置されている。この積層コンデンサは通常の積層コンデンサよりもＥＳＬ（等価直列インダクタンス）が低く、高周波ノイズの吸収に適している。
【０００３】
図１〜図３は高周波ノイズ吸収用の積層コンデンサの第１従来例を示す。この積層コンデンサ１０は、図１に示すように、直方体形状の積層チップ１１の相対する２側面に合計で８個の外部電極１２，１３を有する。
【０００４】
積層チップ１１は、誘電体層１４と２種類の内部電極１５，１６とを、図２に示すように、誘電体層１４，内部電極１５，誘電体層１４，内部電極１６，誘電体層１４・・・の順に積層して一体化した構成を備えている。
【０００５】
各内部電極１５，１６はそれぞれ４個の引出し部１５ａ，１６ａを有する。各引出し部１５ａ，１６ａは、図３（Ａ）に示すように、積層方向と直交する方向で交互に間隔をおいて並ぶように各内部電極１５，１６に形成されている。一方の内部電極１５の４個の引出し部１５ａは４個の外部電極１２とそれぞれ導通し、他方の内部電極１６の４個の引出し部１６ａは残りの４個の外部電極１３とそれぞれ導通している（図３（Ｂ）参照）。
【０００６】
この積層コンデンサ１０をデカップリングコンデンサとして用いるときには、図３（Ｂ）に示すように、実装状態で、４個の外部電極１２にプラス（或いはマイナス）の極性を付与し、残りの４個の外部電極１３にマイナス（或いはプラス）の極性を付与する。つまり、８個の外部電極１２，１３には積層方向と直交する方向で異なる極性が交互に付与され、隣り合う外部電極には逆向きの電流が流れるので、これら電流によって発生する磁束は互いに打ち消し合うように作用し、結果的にＥＳＬが低減される。
【０００７】
図４〜図６は高周波ノイズ吸収用の積層コンデンサの第２従来例を示す。この積層コンデンサ２０は、図４に示すように、直方体形状の積層チップ２１の４側面に合計で１６個の外部電極２２，２３を有する。
【０００８】
積層チップ２１は、誘電体層２４と２種類の内部電極２５，２６とを、図５に示すように、誘電体層２４，内部電極２５，誘電体層２４，内部電極２６，誘電体層２４・・・の順に積層して一体化した構成を備えている。
【０００９】
各内部電極２５，２６はそれぞれ８個の引出し部２５ａ，２６ａを有する。各引出し部２５ａ，２６ａは、図６（Ａ）に示すように、積層方向と直交する方向で交互に間隔をおいて並ぶように各内部電極２５，２６に形成されている。一方の内部電極２５の８個の引出し部２５ａは８個の外部電極２２とそれぞれ導通し、他方の内部電極２６の８個の引出し部２６ａは残りの８個の外部電極１３とそれぞれ導通している（図６（Ｂ）参照）。
【００１０】
この積層コンデンサ２０をデカップリングコンデンサとして用いるときには、図６（Ｂ）に示すように、実装状態で、８個の外部電極２２にプラス（或いはマイナス）の極性を付与し、残りの８個の外部電極２３にマイナス（或いはプラス）の極性を付与する。つまり、１６個の外部電極２２，２３には積層方向と直交する方向で異なる極性が交互に付与され、隣り合う外部電極には逆向きの電流が流れるので、これら電流によって発生する磁束は互いに打ち消し合うように作用し、結果的にＥＳＬが低減される。
【００１１】
図７〜図９は高周波ノイズ吸収用の積層コンデンサの第３従来例を示す。この積層コンデンサ３０は、図７に示すように、直方体形状の積層チップ３１の４側面に合計で１６個の外部電極３２，３３を有する。
【００１２】
積層チップ３１は、誘電体層３４と４種類の内部電極３５〜３８とを、図８に示すように、誘電体層３４，内部電極３５，誘電体層３４，内部電極３６，誘電体層３４，内部電極３７，誘電体層３４，内部電極３８，誘電体層３４・・・の順に積層して一体化した構成を備えている。ここでは４種類の内部電極３５〜３８の組み合わせによって積層チップ３１の１側面に対応した引出し部群を構成しているため、４種類の内部電極３５〜３８から成るブロック４つを上から見て９０度ずつ向きを変えて重ね合わせている。
【００１３】
各内部電極３５〜３８はそれぞれ１個の引出し部３５ａ〜３８ａを有する。各引出し部３５ａ〜３８ａは、図９（Ａ）に示すように、積層方向と直交する方向で１つの辺において交互に間隔をおいて並ぶように各内部電極３５〜３８に形成されている。各内部電極３５，３７の引出し部３５ａ，３７ａは８個の外部電極３２とそれぞれ導通し、各内部電極３６，３８の引出し部３６ａ，３８ａは残りの８個の外部電極３３とそれぞれ導通している（図９（Ｂ）参照）。
【００１４】
この積層コンデンサ３０をデカップリングコンデンサとして用いるときには、図９（Ｂ）に示すように、実装状態で、８個の外部電極３２にプラス（或いはマイナス）の極性を付与し、残りの８個の外部電極２３にマイナス（或いはプラス）の極性を付与する。つまり、１６個の外部電極３２，３３には積層方向と直交する方向で異なる極性が交互に付与され、隣り合う外部電極には逆向きの電流が流れるので、これら電流によって発生する磁束は互いに打ち消し合うように作用し、結果的にＥＳＬが低減される。
【特許文献１】特表２００２−５０８１１４号公報
【特許文献２】特許第３４７６１２７号公報
【特許文献３】特許第３５６３６６４号公報
【発明の開示】
【発明が解決しようとする課題】
【００１５】
ところで、高周波ノイズ吸収用の積層コンデンサには低ＥＳＬ（等価直列インダクタンス）の他に高ＥＳＲ（等価直列抵抗）がその特性として求められている。ＣＰＵ等のＬＳＩからの出力信号はその信号ループの周囲に配されている他のＬＳＩやメモリ等との共振現象によって電圧変動を生じ易いため、この電圧変動を低減するには高周波ノイズ吸収用の積層コンデンサのＥＳＲを機能上で支障を生じない程度まで高めて共振を抑制する必要がある。
【００１６】
第１従来例として示した積層コンデンサ１０によれば、各内部電極１５，１６に４個の引出し部１５ａ，１６ａが設けられているため、磁束の打ち消し合いの作用を効果的に得てＥＳＬを低減できる。しかし、各内部電極１５，１６には４個の引出し部１５ａ，１６ａを通じて電流が流れるため、積層コンデンサ１０自体のＥＳＲは極端に低い。
【００１７】
第２従来例として示した積層コンデンサ２０によれば、各内部電極２５，２６それぞれに８個の引出し部２５ａ，２６ａが設けられているため、磁束の打ち消し合いの作用を効果的に得てＥＳＬを低減できる。しかし、各内部電極１５，１６には８個の引出し部２５ａ，２６ａを通じて電流が流れるため、積層コンデンサ２０自体のＥＳＲは極端に低い。
【００１８】
第３従来例として示した積層コンデンサ３０によれば、各内部電極３５〜３８には１個の引出し部３５ａ〜３８ａを通じて電流が流れるため、第１，第２従来例に比べて積層コンデンサ３０自体のＥＳＲは高いと言える。しかし、各内部電極３５〜３８には１個の引出し部３５ａ〜３８ａしか設けられていないため、磁束の打ち消し合いの作用を効果的に得ることは難しく、第１，第２従来例に比べて積層コンデンサ３０自体のＥＳＬは高い。
【００１９】
このように、従来の高周波ノイズ吸収用の積層コンデンサ１０，２０，３０では、低ＥＳＬと高ＥＳＲの両方を満足するには至らない。
【００２０】
本発明は前記事情に鑑みて創作されたもので、その目的とするところは、デカップリングコンデンサとして好適な低ＥＳＬ及び高ＥＳＲの積層コンデンサを提供することにある。
【課題を解決するための手段】
【００２１】
前記目的を達成するため、本発明は、内部電極層と誘電体層とが交互に配された積層チップと、誘電体層を介して向き合う一方の内部電極層と他方の内部電極層とに異なる極性を付与するための複数の外部電極とを備えた積層コンデンサであって、誘電体層を介して向き合う一方の内部電極層及び他方の内部電極層はそれぞれ複数の分割電極から構成されていて、一方の内部電極層を構成する複数の分割電極それぞれには１以上の引出し部が設けられ各引出し部は同数の外部電極とそれぞれ導通し、且つ、他方の内部電極層を構成する複数の分割電極それぞれには１以上の引出し部が設けられ、各引出し部は同数の外部電極とそれぞれ導通し、一方の内部電極層を構成する複数の分割電極それぞれは他方の内部電極層を構成する複数の分割電極のうちの２以上の分割電極と対向している、ことをその特徴とする。
【００２２】
この積層コンデンサをデカップリングコンデンサとして用いるときには、実装状態で、一方の内部電極層側の引出し部と導通する外部電極にプラス（或いはマイナス）の極性を付与し、他方の内部電極層側の引出し部と導通する外部電極にマイナス（或いはプラス）の極性を付与する。
【００２３】
つまり、一方の内部電極層側の引出し部と導通する外部電極と他方の内部電極層側の引出し部と導通する外部電極には逆向きの電流が流れるので、これら電流によって発生する磁束は互いに打ち消し合うように効果的に作用し、結果的にＥＳＬが低減される。
【００２４】
また、複数の分割電極から構成された一方の内部電極層には分割電極単位で電流が流れ、複数の分割電極から構成された他方の内部電極層にも分割電極単位で電流が流れるため、各内部電極層に流れる電流が効果的に抑制されて、結果的にＥＳＲが高められる。
【発明の効果】
【００２５】
本発明によれば、デカップリングコンデンサとして好適な低ＥＳＬ及び高ＥＳＲの積層コンデンサを提供できる。
【００２６】
本発明の前記目的とそれ以外の目的と、構成特徴と、作用効果は、以下の説明と添付図面によって明らかとなる。
【発明を実施するための最良の形態】
【００２７】
［第１実施形態］
図１０〜図１２は本発明の第１実施形態を示す。この積層コンデンサ１００は、図１０に示すように、直方体形状の積層チップ１０１の相対する２側面に合計で８個の外部電極１０２，１０３を有する。
【００２８】
積層チップ１０１は、誘電体層１０４と２種類の内部電極層１１１，１１２とを、図１１に示すように、誘電体層１０４，内部電極層１１１，誘電体層１０４，内部電極層１１２，誘電体層１０４・・・の順に積層して一体化した構成を備えている。
【００２９】
図１１から分かるように、一方の内部電極層１１１は矩形状の４個の分割電極１１１ａ〜１１１ｄから層全体が矩形を成すように構成されていて、各分割電極１１１ａ〜１１１ｄにはそれぞれ１個の引出し部１１１ａ１〜１１１ｄ１が設けられている。他方の内部電極層１１２は矩形状の４個の分割電極１１２ａ〜１１２ｄから層全体が矩形を成すように構成されていて、各分割電極１１２ａ〜１１２ｄにはそれぞれ１個の引出し部１１２ａ１〜１１２ｄ１が設けられている。因みに、ここでの「分割」とは互いが非接触で離れている状態を意味する。
【００３０】
一方の内部電極層１１１側の４個の引出し部１１１ａ１〜１１１ｄ１と他方の内部電極層１１２側の４個の引出し部１１２ａ１〜１１２ｄ１は、図１２（Ａ）に示すように、積層方向と直交する方向で交互に間隔をおいて並ぶように各分割電極１１１ａ〜１１１ｄ，１１２ａ〜１１２ｄに形成されている。
【００３１】
また、一方の内部電極層１１１を構成する４個の分割電極１１１ａ〜１１１ｄと他方の内部電極層１１２を構成する４個の分割電極１１２ａ〜１１２ｄは各々のパターンを異にしており、一方の内部電極層１１１を構成する４個の分割電極１１１ａ〜１１１ｄそれぞれは他方の内部電極層１１２を構成する４個の分割電極１１２ａ〜１１２ｄのうちの２個の分割電極と対向している。
【００３２】
具体的には、分割電極１１１ａは２個の分割電極１１２ａ，１１２ｄと対向し、分割電極１１１ｂは２個の分割電極１１２ａ，１１２ｂと対向し、分割電極１１１ｃは２個の分割電極１１２ｂ，１１２ｃと対向し、分割電極１１１ｄは２個の分割電極１１１ｃ，１１１ｄと対向している。
【００３３】
さらに、一方の内部電極層１１１側の４個の引出し部１１１ａ１〜１１１ｄ１は４個の外部電極１０２とそれぞれ導通し、他方の内部電極層１１２側の４個の引出し部１１２ａ１〜１１２ｄ１は残りの４個の外部電極１０３とそれぞれ導通している（図１２（Ｂ）参照）。
【００３４】
この積層コンデンサ１００をデカップリングコンデンサとして用いるときには、図１２（Ｂ）に示すように、実装状態で、４個の外部電極１０２にプラス（或いはマイナス）の極性を付与し、残りの４個の外部電極１０３にマイナス（或いはプラス）の極性を付与する。
【００３５】
つまり、８個の外部電極１０２，１０３には積層方向と直交する方向で異なる極性が交互に付与され、隣り合う外部電極には逆向きの電流が流れるので、これら電流によって発生する磁束は互いに打ち消し合うように効果的に作用し、結果的にＥＳＬが低減される。
【００３６】
また、４個の分割電極１１１ａ〜１１１ｄから構成された一方の内部電極層１１１には分割電極単位で電流が流れ、４個の分割電極１１２ａ〜１１２ｄから構成された他方の内部電極層１１２にも分割電極単位で電流が流れるため、各内部電極層１１１，１１２に流れる電流が効果的に抑制されて、結果的にＥＳＲが高められる。
【００３７】
従って、前記の積層コンデンサ１００によれば、デカップリングコンデンサとして使用したときに低ＥＳＬと高ＥＳＲの両方を満足することができる。
【００３８】
［第１変形例］
図１３及び図１４は図１０〜図１２に示した積層コンデンサ１００の分割電極パターンの第１変形例を示す。
【００３９】
図１３から分かるように、一方の内部電極層１２１は三角形状の４個の分割電極１２１ａ〜１２１ｄから層全体が矩形を成すように構成されていて、各分割電極１２１ａ〜１２１ｄにはそれぞれ１個の引出し部１２１ａ１〜１２１ｄ１が設けられている。他方の内部電極層１２２は三角形状の４個の分割電極１２２ａ〜１２２ｄから層全体が矩形を成すように構成されていて、各分割電極１２２ａ〜１２２ｄにはそれぞれ１個の引出し部１２２ａ１〜１２２ｄ１が設けられている。
【００４０】
一方の内部電極層１２１側の４個の引出し部１２１ａ１〜１２１ｄ１と他方の内部電極層１２２側の４個の引出し部１２２ａ１〜１２２ｄ１は、図１４（Ａ）に示すように、積層方向と直交する方向で交互に間隔をおいて並ぶように各分割電極１２１ａ〜１２１ｄ，１２２ａ〜１２２ｄに形成されている。
【００４１】
また、一方の内部電極層１２１を構成する４個の分割電極１２１ａ〜１２１ｄと他方の内部電極層１２２を構成する４個の分割電極１２２ａ〜１２２ｄは各々のパターンを異にしており、一方の内部電極層１２１を構成する４個の分割電極１２１ａ〜１２１ｄそれぞれは他方の内部電極層１２２を構成する４個の分割電極１２２ａ〜１２２ｄのうちの２個または３個の分割電極と対向している。
【００４２】
具体的には、分割電極１２１ａは３個の分割電極１２２ａ，１２２ｂ，１２２ｄと対向し、分割電極１２１ｂは２個の分割電極１２２ｂ，１２２ｃと対向し、分割電極１２１ｃは３個の分割電極１２２ｂ，１２２ｃ，１２２ｄと対向し、分割電極１２１ｄは２個の分割電極１２２ｄ，１２２ａと対向している。
【００４３】
さらに、一方の内部電極層１２１側の４個の引出し部１２１ａ１〜１２１ｄ１は４個の外部電極１０２とそれぞれ導通し、他方の内部電極層１２２側の４個の引出し部１２２ａ１〜１２２ｄ１は残りの４個の外部電極１０３とそれぞれ導通している（図１４（Ｂ）参照）。
【００４４】
このような分割電極パターンを採用しても、前記と同様の低ＥＳＬ化の作用及び高ＥＳＲ化の作用を得て、デカップリングコンデンサとして使用したときに低ＥＳＬと高ＥＳＲの両方を満足することができる。
【００４５】
［第２変形例］
図１５及び図１６は図１０〜図１２に示した積層コンデンサ１００の分割電極パターンの第２変形例を示す。
【００４６】
図１５から分かるように、一方の内部電極層１３１は矩形状の２個の分割電極１３１ａ，１３１ｂから層全体が矩形を成すように構成されていて、各分割電極１３１ａ，１３１ｂにはそれぞれ２個の引出し部１３１ａ１，１３１ａ２，１３１ｂ１，１３１ｂ２が設けられている。他方の内部電極層１３２は矩形状の２個の分割電極１３２ａ，１３２ｂから層全体が矩形を成すように構成されていて、各分割電極１３２ａ，１３２ｂにはそれぞれ２個の引出し部１３２ａ１，１３２ａ２，１３２ｂ１，１３２ｂ２が設けられている。
【００４７】
一方の内部電極層１３１側の４個の引出し部１３１ａ１，１３１ａ２，１３１ｂ１，１３１ｂ２と他方の内部電極層１３２側の４個の引出し部１３２ａ１，１３２ａ２，１３２ｂ１，１３２ｂ２は、図１６（Ａ）に示すように、積層方向と直交する方向で交互に間隔をおいて並ぶように各分割電極１３１ａ，１３１ｂ，１３２ａ，１３２ｂに形成されている。
【００４８】
また、一方の内部電極層１３１を構成する２個の分割電極１３１ａ，１３１ｂと他方の内部電極層１３２を構成する２個の分割電極１３２ａ，１３２ｂは各々のパターンを異にしており、一方の内部電極層１３１を構成する２個の分割電極１３１ａ，１３１ｂそれぞれは他方の内部電極層１３２を構成する２個の分割電極１３２ａ，１３２ｂと対向している。
【００４９】
具体的には、分割電極１３１ａは２個の分割電極１３２ａ，１３２ｂと対向し、分割電極１３１ｂは２個の分割電極１３２ａ，１３２ｂと対向している。
【００５０】
さらに、一方の内部電極層１３１側の４個の引出し部１３１ａ１，１３１ａ２，１３１ｂ１，１３１ｂ２は４個の外部電極１０２とそれぞれ導通し、他方の内部電極層１３２側の４個の引出し部１３２ａ１，１３２ａ２，１３２ｂ１，１３２ｂ２は残りの４個の外部電極１０３とそれぞれ導通している（図１６（Ｂ）参照）。
【００５１】
このような分割電極パターンを採用しても、前記と同様の低ＥＳＬ化の作用及び高ＥＳＲ化の作用を得て、デカップリングコンデンサとして使用したときに低ＥＳＬと高ＥＳＲの両方を満足することができる。
【００５２】
［第３変形例］
図１７及び図１８は図１０〜図１２に示した積層コンデンサ１００の分割電極パターンの第３変形例を示す。
【００５３】
図１７から分かるように、一方の内部電極層１４１は三角形状の２個の分割電極１４１ａ，１４１ｂから層全体が矩形を成すように構成されていて、各分割電極１４１ａ，１４１ｂにはそれぞれ２個の引出し部１４１ａ１，１４１ａ２，１４１ｂ１，１４１ｂ２が設けられている。他方の内部電極層１４２は三角形状の２個の分割電極１４２ａ，１４２ｂから層全体が矩形を成すように構成されていて、各分割電極１４２ａ，１４２ｂにはそれぞれ２個の引出し部１４２ａ１，１４２ａ２，１４２ｂ１，１４２ｂ２が設けられている。
【００５４】
一方の内部電極層１４１側の４個の引出し部１４１ａ１，１４１ａ２，１４１ｂ１，１４１ｂ２と他方の内部電極層１４２側の４個の引出し部１４２ａ１，１４２ａ２，１４２ｂ１，１４２ｂ２は、図１８（Ａ）に示すように、積層方向と直交する方向で交互に間隔をおいて並ぶように各分割電極１４１ａ，１４１ｂ，１４２ａ，１４２ｂに形成されている。
【００５５】
また、一方の内部電極層１４１を構成する２個の分割電極１４１ａ，１４１ｂと他方の内部電極層１４２を構成する２個の分割電極１４２ａ，１４２ｂは各々のパターンを異にしており、一方の内部電極層１４１を構成する２個の分割電極１４１ａ，１４１ｂそれぞれは他方の内部電極層１４２を構成する２個の分割電極１４２ａ，１４２ｂと対向している。
【００５６】
具体的には、分割電極１４１ａは２個の分割電極１４２ａ，１４２ｂと対向し、分割電極１４１ｂは２個の分割電極１４２ａ，１４２ｂと対向している。
【００５７】
さらに、一方の内部電極層１４１側の４個の引出し部１４１ａ１，１４１ａ２，１４１ｂ１，１４１ｂ２は４個の外部電極１０２とそれぞれ導通し、他方の内部電極層１４２側の４個の引出し部１４２ａ１，１４２ａ２，１４２ｂ１，１４２ｂ２は残りの４個の外部電極１０３とそれぞれ導通している（図１８（Ｂ）参照）。
【００５８】
このような分割電極パターンを採用しても、前記と同様の低ＥＳＬ化の作用及び高ＥＳＲ化の作用を得て、デカップリングコンデンサとして使用したときに低ＥＳＬと高ＥＳＲの両方を満足することができる。
【００５９】
［第４変形例］
図１９及び図２０は図１０〜図１２に示した積層コンデンサ１００の分割電極パターンの第４変形例を示す。
【００６０】
図１９から分かるように、一方の内部電極層１５１は矩形状の３個の分割電極１５１ａ〜１５１ｃから層全体が矩形を成すように構成されていて、そのうちの２個の分割電極１５１ａ，１５１ｃにはそれぞれ１個の引出し部１５１ａ１，１５１ｃ１が設けられ、残りの１個の分割電極１５１ｂには２個の引出し部１５１ｂ１，１５１ｂ２が設けられている。他方の内部電極層１５２は矩形状の３個の分割電極１５２ａ〜１５２ｃから層全体が矩形を成すように構成されていて、そのうちの１個の分割電極１５２ａには２個の引出し部１５２ａ１，１５２ａ２が設けられ、残りの２個の分割電極１５２ｂ，１５１ｃにはそれぞれ１個の引出し部１５２ｂ１，１５２ｃ１が設けられている。
【００６１】
一方の内部電極層１５１側の４個の引出し部１５１ａ１，１５１ｂ１，１５１ｂ２，１５１ｃ１と他方の内部電極層１５２側の４個の引出し部１５２ａ１，１５２ａ２，１５２ｂ１，１５２ｃ１は、図２０（Ａ）に示すように、積層方向と直交する方向で交互に間隔をおいて並ぶように各分割電極１５１ａ〜１５１ｃ，１５２ａ〜１５２ｃに形成されている。
【００６２】
また、一方の内部電極層１５１を構成する３個の分割電極１５１ａ〜１５１ｃと他方の内部電極層１５２を構成する３個の分割電極１５２ａ〜１５２ｃは各々のパターンを異にしており、一方の内部電極層１５１を構成する３個の分割電極１５１ａ〜１５１ｃそれぞれは他方の内部電極層１５２を構成する３個の分割電極１５２ａ〜１５２ｃのうちの２個または３個の分割電極と対向している。
【００６３】
具体的には、分割電極１５１ａは２個の分割電極１５２ａ，１５２ｃと対向し、分割電極１５１ｂは３個の分割電極１５２ａ〜１５２ｃと対向し、分割電極１５１ｃは２個の分割電極１５２ｂ，１５２ａと対向している。
【００６４】
さらに、一方の内部電極層１５１側の４個の引出し部１５１ａ１，１５１ｂ１，１５１ｂ２，１５１ｃ１は４個の外部電極１０２とそれぞれ導通し、他方の内部電極層１５２側の４個の引出し部１５２ａ１，１５２ａ２，１５２ｂ１，１５２ｃ１は残りの４個の外部電極１０３とそれぞれ導通している（図２０（Ｂ）参照）。
【００６５】
このような分割電極パターンを採用しても、前記と同様の低ＥＳＬ化の作用及び高ＥＳＲ化の作用を得て、デカップリングコンデンサとして使用したときに低ＥＳＬと高ＥＳＲの両方を満足することができる。
【００６６】
［第５変形例］
図２１及び図２２は図１０〜図１２に示した積層コンデンサ１００の分割電極パターンの第５変形例を示す。
【００６７】
図２１から分かるように、一方の内部電極層１６１は三角形状の３個の分割電極１６１ａ〜１６１ｃから層全体が矩形を成すように構成されていて、そのうちの１個の分割電極１６１ａには２個の引出し部１６１ａ１，１６１ａ２が設けられ、残りの２個の分割電極１６１ｂ，１６１ｃにはそれぞれ１個の引出し部１６１ｂ１，１６１ｃ１が設けられている。他方の内部電極層１６２は三角形状の３個の分割電極１６２ａ〜１６２ｃから層全体が矩形を成すように構成されていて、そのうちの２個の分割電極１６２ａ，１６２ｂにはそれぞれ１個の引出し部１６２ａ１，１６２ｂ１が設けられ、残りの１個の分割電極１６２ｃには２個の引出し部１６２ｃ１，１６２ｃ２が設けられている。
【００６８】
一方の内部電極層１６１側の４個の引出し部１６１ａ１，１６１ａ２，１６１ｂ１，１６１ｃ１と他方の内部電極層１６２側の４個の引出し部１６２ａ１，１６２ｂ１，１６２ｃ１，１６２ｃ２は、図２２（Ａ）に示すように、積層方向と直交する方向で交互に間隔をおいて並ぶように各分割電極１６１ａ〜１６１ｃ，１６２ａ〜１６２ｃに形成されている。
【００６９】
また、一方の内部電極層１６１を構成する３個の分割電極１６１ａ〜１６１ｃと他方の内部電極層１６２を構成する３個の分割電極１６２ａ〜１６２ｃは各々のパターンを異にしており、一方の内部電極層１６１を構成する３個の分割電極１６１ａ〜１６１ｃそれぞれは他方の内部電極層１６２を構成する３個の分割電極１６２ａ〜１６２ｃのうちの２個または３個の分割電極と対向している。
【００７０】
具体的には、分割電極１６１ａは３個の分割電極１６２ａ〜１６２ｃと対向し、分割電極１６１ｂは２個の分割電極１６２ｂ，１６２ｃと対向し、分割電極１６１ｃは２個の分割電極１６２ｃ，１６２ａと対向している。
【００７１】
さらに、一方の内部電極層１６１側の４個の引出し部１６１ａ１，１６１ａ２，１６１ｂ１，１６１ｃ１は４個の外部電極１０２とそれぞれ導通し、他方の内部電極層１６２側の４個の引出し部１６２ａ１，１６２ｂ１，１６２ｃ１，１６２ｃ２は残りの４個の外部電極１０３とそれぞれ導通している（図２２（Ｂ）参照）。
【００７２】
このような分割電極パターンを採用しても、前記と同様の低ＥＳＬ化の作用及び高ＥＳＲ化の作用を得て、デカップリングコンデンサとして使用したときに低ＥＳＬと高ＥＳＲの両方を満足することができる。
【００７３】
［第６変形例］
図２３及び図２４は図１０〜図１２に示した積層コンデンサ１００の分割電極パターンの第６変形例を示す。
【００７４】
図２３から分かるように、一方の内部電極層１７１は矩形状の２個の分割電極１７１ａ，１７１ｂから層全体が矩形を成すように構成されていて、各分割電極１７１ａ，１７１ｂにはそれぞれ２個の引出し部１７１ａ１，１７１ａ２，１７１ｂ１，１７１ｂ２が設けられている。他方の内部電極層１７２は矩形状の４個の分割電極１７２ａ〜１７２ｄから層全体が矩形を成すように構成されていて、各分割電極１７２ａ〜１７２ｄにはそれぞれ１個の引出し部１７２ａ１〜１７２ｄ１が設けられている。
【００７５】
一方の内部電極層１７１側の４個の引出し部１７１ａ１，１７１ａ２，１７１ｂ１，１７１ｂ２と他方の内部電極層１７２側の４個の引出し部１７２ａ１〜１７２ｄ１は、図２４（Ａ）に示すように、積層方向と直交する方向で交互に間隔をおいて並ぶように各分割電極１７１ａ，１７１ｂ，１７２ａ〜１７２ｄに形成されている。
【００７６】
また、一方の内部電極層１７１を構成する２個の分割電極１７１ａ，１７１ｂと他方の内部電極層１７２を構成する４個の分割電極１７２ａ〜１７２ｄは各々のパターンを異にしており、一方の内部電極層１７１を構成する２個の分割電極１７１ａ，１７１ｂそれぞれは他方の内部電極層１７２を構成する４個の分割電極１７２ａ〜１７２ｄと対向している。
【００７７】
具体的には、分割電極１７１ａは４個の分割電極１７２ａ〜１７２ｄと対向し、分割電極１７１ｂは４個の分割電極１７２ａ〜１７２ｄと対向している。
【００７８】
さらに、一方の内部電極層１７１側の４個の引出し部１７１ａ１，１７１ａ２，１７１ｂ１，１７１ｂ２は４個の外部電極１０２とそれぞれ導通し、他方の内部電極層１７２側の４個の引出し部１７２ａ１〜１７２ｄ１は残りの４個の外部電極１０３とそれぞれ導通している（図２４（Ｂ）参照）。
【００７９】
このような分割電極パターンを採用しても、前記と同様の低ＥＳＬ化の作用及び高ＥＳＲ化の作用を得て、デカップリングコンデンサとして使用したときに低ＥＳＬと高ＥＳＲの両方を満足することができる。
【００８０】
［第７変形例］
図２５及び図２６は図１０〜図１２に示した積層コンデンサ１００の分割電極パターンの第７変形例を示す。
【００８１】
図２５から分かるように、一方の内部電極層１８１は矩形状の２個の分割電極１８１ａ，１８１ｂから層全体が矩形を成すように構成されていて、各分割電極１８１ａ，１８１ｂにはそれぞれ２個の引出し部１８１ａ１，１８１ａ２，１８１ｂ１，１８１ｂ２が設けられている。他方の内部電極層１８２は三角形状の４個の分割電極１８２ａ〜１８２ｄから層全体が矩形を成すように構成されていて、各分割電極１８２ａ〜１８２ｄにはそれぞれ１個の引出し部１８２ａ１〜１８２ｄ１が設けられている。
【００８２】
一方の内部電極層１８１側の４個の引出し部１８１ａ１，１８１ａ２，１８１ｂ１，１８１ｂ２と他方の内部電極層１８２側の４個の引出し部１８２ａ１〜１８２ｄ１は、図２６（Ａ）に示すように、積層方向と直交する方向で交互に間隔をおいて並ぶように各分割電極１８１ａ，１８１ｂ，１８２ａ〜１８２ｄに形成されている。
【００８３】
また、一方の内部電極層１８１を構成する２個の分割電極１８１ａ，１８１ｂと他方の内部電極層１８２を構成する４個の分割電極１８２ａ〜１８２ｄは各々のパターンを異にしており、一方の内部電極層１８１を構成する２個の分割電極１８１ａ，１８１ｂそれぞれは他方の内部電極層１８２を構成する４個の分割電極１８２ａ〜１８２ｄと対向している。
【００８４】
具体的には、分割電極１８１ａは４個の分割電極１８２ａ〜１８２ｄと対向し、分割電極１８１ｂは４個の分割電極１８２ａ〜１８２ｄと対向している。
【００８５】
さらに、一方の内部電極層１８１側の４個の引出し部１８１ａ１，１８１ａ２，１８１ｂ１，１８１ｂ２は４個の外部電極１０２とそれぞれ導通し、他方の内部電極層１８２側の４個の引出し部１８２ａ１〜１８２ｄ１は残りの４個の外部電極１０３とそれぞれ導通している（図２６（Ｂ）参照）。
【００８６】
このような分割電極パターンを採用しても、前記と同様の低ＥＳＬ化の作用及び高ＥＳＲ化の作用を得て、デカップリングコンデンサとして使用したときに低ＥＳＬと高ＥＳＲの両方を満足することができる。
【００８７】
［他の変形例］
前記の第１実施形態並びに第１〜第７変形例では、一方の内部電極層及び他方の分割電極層を構成する複数の分割電極として矩形と三角形をその基準形状としたものを示したが、台形や５角形以上の多角形をその基準形状としても差し支えない。
【００８８】
また、前記の第１実施形態並びに第１〜第７変形例では、分割電極間の隙間（分割ライン）として直線状のものを示したが、所期の分割が行えるものであれば該分割ラインは湾曲状や波状や鋸歯状等であっても差し支えない。特に、誘電体層を介して向き合う各内部電極層の分割ラインが積層方向で長い距離合致することを理由として積層チップの表面に分割ラインに応じた凹みが形成される場合には、前記のように分割ラインの形状を変えるか、或いは、分割ラインの位置を変えることによって合致を避けることにより積層チップの表面に分割ラインに応じた凹みが形成されることを防止できる。
【００８９】
さらに、前記の第１実施形態並びに第１〜第７変形例に示した各分割電極相互の対向形態はあくまでも一例であって、一方の内部電極層及び他方の内部電極層を構成する複数の分割電極の面積を変えることによって、各内部電極層を構成する複数の分割電極それぞれの対向面積（向き合う側の内部電極層の２以上の分割電極と対向する面積）を実質的に同じにしたり、異ならせたり、一部のみを同じにすることが任意に行える。
【００９０】
さらに、前記の第１実施形態並びに第１〜第７変形例では、２種類の内部電極層を誘電体層を介して交互に積層したものを示したが、３種類以上の内部電極層を用い該内部電極層を誘電体層を介して所定の順序で積層するようにしてもよい。例えば、分割数が同じでパターンが異なる３種類の内部電極層を用い、これら内部電極層を誘電体層１０４を介して順番に積層するようにしたり、或いは、分割数及びパターンが異なる内部電極層を３種類以上用い、これら内部電極層を誘電体層１０４を介して順番に積層するようにしてもよい。
【００９１】
［第２実施形態］
図２７〜図２９は本発明の第２実施形態を示す。この積層コンデンサ２００は、図２７に示すように、直方体形状の積層チップ２０１の４側面に合計で１０個の外部電極２０２，２０３を有する。
【００９２】
積層チップ２０１は、誘電体層２０４と２種類の内部電極層２１１，２１２とを、図２８に示すように、誘電体層２０４，内部電極層２１１，誘電体層２０４，内部電極層２１２，誘電体層２０４・・・の順に積層して一体化した構成を備えている。
【００９３】
図２８から分かるように、一方の内部電極層２１１は矩形状の５個の分割電極２１１ａ〜２１１ｅから層全体が矩形を成すように構成されていて、各分割電極２１１ａ〜２１１ｅにはそれぞれ１個の引出し部２１１ａ１〜２１１ｅ１が設けられている。他方の内部電極層２１２は矩形状の５個の分割電極２１２ａ〜２１２ｅから層全体が矩形を成すように構成されていて、各分割電極２１２ａ〜２１２ｅにはそれぞれ１個の引出し部２１２ａ１〜２１２ｅ１が設けられている。因みに、ここでの「分割」とは互いが非接触で離れている状態を意味する。
【００９４】
一方の内部電極層２１１側の５個の引出し部２１１ａ１〜２１１ｅ１と他方の内部電極層２１２側の５個の引出し部２１２ａ１〜２１２ｅ１は、図２９（Ａ）に示すように、積層方向と直交する方向で交互に間隔をおいて並ぶように各分割電極２１１ａ〜２１１ｅ，２１２ａ〜２１２ｅに形成されている。
【００９５】
また、一方の内部電極層２１１を構成する５個の分割電極２１１ａ〜２１１ｅと他方の内部電極層２１２を構成する５個の分割電極２１２ａ〜２１２ｅは各々のパターンを異にしており、一方の内部電極層２１１を構成する５個の分割電極２１１ａ〜２１１ｅそれぞれは他方の内部電極層２１２を構成する５個の分割電極２１２ａ〜２１２ｅのうちの２個の分割電極と対向している。
【００９６】
具体的には、分割電極２１１ａは２個の分割電極２１２ａ，２１２ｅと対向し、分割電極２１１ｂは２個の分割電極２１２ａ，２１２ｂと対向し、分割電極２１１ｃは２個の分割電極２１２ｂ，２１２ｃと対向し、分割電極２１１ｄは２個の分割電極２１２ｃ，２１２ｄと対向し、分割電極２１１ｅは２個の分割電極２１２ｄ，２１２ｅと対向している。
【００９７】
さらに、一方の内部電極層２１１側の５個の引出し部２１１ａ１〜２１１ｅ１は５個の外部電極２０２とそれぞれ導通し、他方の内部電極層２１２側の５個の引出し部２１２ａ１〜２１２ｅ１は残りの５個の外部電極２０３とそれぞれ導通している（図２９（Ｂ）参照）。
【００９８】
この積層コンデンサ２００をデカップリングコンデンサとして用いるときには、図２９（Ｂ）に示すように、実装状態で、５個の外部電極２０２にプラス（或いはマイナス）の極性を付与し、残りの５個の外部電極２０３にマイナス（或いはプラス）の極性を付与する。
【００９９】
つまり、１０個の外部電極２０２，２０３には積層方向と直交する方向で異なる極性が交互に付与され、隣り合う外部電極には逆向きの電流が流れるので、これら電流によって発生する磁束は互いに打ち消し合うように効果的に作用し、結果的にＥＳＬが低減される。
【０１００】
また、５個の分割電極２１１ａ〜２１１ｅから構成された一方の内部電極層２１１には分割電極単位で電流が流れ、５個の分割電極２１２ａ〜２１２ｅから構成された他方の内部電極層２１２にも分割電極単位で電流が流れるため、各内部電極層２１１，２１２に流れる電流が効果的に抑制されて、結果的にＥＳＲが高められる。
【０１０１】
従って、前記の積層コンデンサ２００によれば、デカップリングコンデンサとして使用したときに低ＥＳＬと高ＥＳＲの両方を満足することができる。
【０１０２】
［第１変形例］
図３０及び図３１は図２７〜図２９に示した積層コンデンサ２００の分割電極パターンの第１変形例を示す。
【０１０３】
図３０から分かるように、一方の内部電極層２２１は三角形状の５個の分割電極２２１ａ〜２２１ｅから層全体が矩形を成すように構成されていて、各分割電極２２１ａ〜２２１ｅにはそれぞれ１個の引出し部２２１ａ１〜２２１ｅ１が設けられている。他方の内部電極層２２２は三角形状の５個の分割電極２２２ａ〜２２２ｅから層全体が矩形を成すように構成されていて、各分割電極２２２ａ〜２２２ｅにはそれぞれ１個の引出し部２２２ａ１〜２２２ｅ１が設けられている。
【０１０４】
一方の内部電極層２２１側の５個の引出し部２２１ａ１〜２２１ｅ１と他方の内部電極層２２２側の５個の引出し部２２２ａ１〜２２２ｅ１は、図３１（Ａ）に示すように、積層方向と直交する方向で交互に間隔をおいて並ぶように各分割電極２２１ａ〜２２１ｅ，２２２ａ〜２２２ｅに形成されている。
【０１０５】
また、一方の内部電極層２２１を構成する５個の分割電極２２１ａ〜２２１ｅと他方の内部電極層２２２を構成する５個の分割電極２２２ａ〜２２２ｅは各々のパターンを異にしており、一方の内部電極層２２１を構成する５個の分割電極２２１ａ〜２２１ｅそれぞれは他方の内部電極層２２２を構成する５個の分割電極２２２ａ〜２２２ｅのうちの２個または３個の分割電極と対向している。
【０１０６】
具体的には、分割電極２２１ａは３個の分割電極２２２ａ，２２２ｄ，２２２ｅと対向し、分割電極２２１ｂは３個の分割電極２２２ａ，２２２ｂ，２２２ｃと対向し、分割電極２２１ｃは２個の分割電極２２２ｂ，２２２ｃと対向し、分割電極２２１ｄは３個の分割電極２２２ａ，２２２ｃ，２２２ｄと対向し、分割電極２２１ｅは２個の分割電極２２２ｄ，２２２ｅと対向している。
【０１０７】
さらに、一方の内部電極層２２１側の５個の引出し部２２１ａ１〜２２１ｅ１は５個の外部電極２０２とそれぞれ導通し、他方の内部電極層２２２側の５個の引出し部２２２ａ１〜２２２ｅ１は残りの５個の外部電極２０３とそれぞれ導通している（図３１（Ｂ）参照）。
【０１０８】
このような分割電極パターンを採用しても、前記と同様の低ＥＳＬ化の作用及び高ＥＳＲ化の作用を得て、デカップリングコンデンサとして使用したときに低ＥＳＬと高ＥＳＲの両方を満足することができる。
【０１０９】
［第２変形例］
図３２及び図３３は図２７〜図２９に示した積層コンデンサ２００の分割電極パターンの第２変形例を示す。
【０１１０】
図３２から分かるように、一方の内部電極層２３１は矩形状の２個の分割電極２３１ａ，２３１ｂから層全体が矩形を成すように構成されていて、そのうちの１個の分割電極２３１ａには２個の引出し部２３１ａ１，２３１ａ２が設けられ、残りの１個の分割電極２３１ｂには３個の引出し部２３１ｂ１〜２３１ｂ３が設けられている。他方の内部電極層２３２は矩形状の２個の分割電極２３２ａ，２３２ｂから層全体が矩形を成すように構成されていて、そのうちの１個の分割電極２３２ａには３個の引出し部２３２ａ１〜２３２ａ３が設けられ、残りの１個の分割電極２３２ｂには２個の引出し部２３２ｂ１，２３２ｂ２が設けられている。
【０１１１】
一方の内部電極層２３１側の５個の引出し部２３１ａ１，２３１ａ２，２３１ｂ１〜２３１ｂ３と他方の内部電極層２３２側の５個の引出し部２３２ａ１〜２３２ａ３，２３２ｂ１，２３２ｂ２は、図３３（Ａ）に示すように、積層方向と直交する方向で交互に間隔をおいて並ぶように各分割電極２３１ａ，２３１ｂ，２３２ａ，２３２ｂに形成されている。
【０１１２】
また、一方の内部電極層２３１を構成する２個の分割電極２３１ａ，２３１ｂと他方の内部電極層２３２を構成する２個の分割電極２３２ａ，２３２ｂは各々のパターンを異にしており、一方の内部電極層２３１を構成する２個の分割電極２３１ａ，２３１ｂそれぞれは他方の内部電極層２３２を構成する２個の分割電極２３２ａ，２３２ｂと対向している。
【０１１３】
具体的には、分割電極２３１ａは２個の分割電極２３２ａ，２３２ｂと対向し、分割電極２３１ｂは２個の分割電極２３２ａ，２３２ｂと対向している。
【０１１４】
さらに、一方の内部電極層２３１側の５個の引出し部２３１ａ１，２３１ａ２，２３１ｂ１〜２３１ｂ３は５個の外部電極２０２とそれぞれ導通し、他方の内部電極層２３２側の５個の引出し部２３２ａ１〜２３２ａ３，２３２ｂ１，２３２ｂ２は残りの５個の外部電極２０３とそれぞれ導通している（図３３（Ｂ）参照）。
【０１１５】
このような分割電極パターンを採用しても、前記と同様の低ＥＳＬ化の作用及び高ＥＳＲ化の作用を得て、デカップリングコンデンサとして使用したときに低ＥＳＬと高ＥＳＲの両方を満足することができる。
【０１１６】
［第３変形例］
図３４及び図３５は図２７〜図２９に示した積層コンデンサ２００の分割電極パターンの第３変形例を示す。
【０１１７】
図３４から分かるように、一方の内部電極層２４１は三角形状の２個の分割電極２４１ａ，２４１ｂから層全体が矩形を成すように構成されていて、そのうちの１個の分割電極２４１ａには２個の引出し部２４１ａ１，２４１ａ２が設けられ、残りの１個の分割電極２４１ｂには３個の引出し部２４１ｂ１〜２４１ｂ３が設けられている。他方の内部電極層２４２は三角形状の２個の分割電極２４２ａ，２４２ｂから層全体が矩形を成すように構成されていて、そのうちの１個の分割電極２４２ａには２個の引出し部２４２ａ１，２４２ａ２が設けられ、残りの１個の分割電極２４１ｂには３個の引出し部２４２ｂ１〜２４２ｂ３が設けられている。
【０１１８】
一方の内部電極層２４１側の５個の引出し部２４１ａ１，２４１ａ２，２４１ｂ１〜２４１ｂ３と他方の内部電極層２４２側の５個の引出し部２４２ａ１，２４２ａ２，２４２ｂ１〜２４２ｂ３は、図３５（Ａ）に示すように、積層方向と直交する方向で交互に間隔をおいて並ぶように各分割電極２４１ａ，２４１ｂ，２４２ａ，２４２ｂに形成されている。
【０１１９】
また、一方の内部電極層２４１を構成する２個の分割電極２４１ａ，２４１ｂと他方の内部電極層２４２を構成する２個の分割電極２４２ａ，２４２ｂは各々のパターンを異にしており、一方の内部電極層２４１を構成する２個の分割電極２４１ａ，２４１ｂそれぞれは他方の内部電極層２４２を構成する２個の分割電極２４２ａ，２４２ｂと対向している。
【０１２０】
具体的には、分割電極２４１ａは２個の分割電極２４２ａ，２４２ｂと対向し、分割電極２４１ｂは２個の分割電極２４２ａ，２４２ｂと対向している。
【０１２１】
さらに、一方の内部電極層２４１側の５個の引出し部２４１ａ１，２４１ａ２，２４１ｂ１〜２４１ｂ３は５個の外部電極２０２とそれぞれ導通し、他方の内部電極層２４２側の５個の引出し部２４２ａ１，２４２ａ２，２４２ｂ１〜２４２ｂ３は残りの５個の外部電極２０３とそれぞれ導通している（図３５（Ｂ）参照）。
【０１２２】
このような分割電極パターンを採用しても、前記と同様の低ＥＳＬ化の作用及び高ＥＳＲ化の作用を得て、デカップリングコンデンサとして使用したときに低ＥＳＬと高ＥＳＲの両方を満足することができる。
【０１２３】
［第４変形例］
図３６及び図３７は図２７〜図２９に示した積層コンデンサ２００の分割電極パターンの第４変形例を示す。
【０１２４】
図３６から分かるように、一方の内部電極層２７１は矩形状の３個の分割電極２５１ａ〜２５１ｃから層全体が矩形を成すように構成されていて、そのうちの２個の分割電極２５１ａには１個の引出し部２５１ａ１が設けられ、残りの２個の分割電極２５１ｂ，２５１ｃにはそれぞれ２個の引出し部２５１ｂ１，２５１ｂ２，２５１ｃ１，２５１ｃ２が設けられている。他方の内部電極層２５２は矩形状の３個の分割電極２５２ａ〜２５２ｃから層全体が矩形を成すように構成されていて、そのうちの２個の分割電極２５２ａ，２５２ｃにはそれぞれ２個の引出し部２５２ａ１，２５２ａ２，２５２ｃ１，２５２ｃ２が設けられ、残りの１個の分割電極２５２ｂには１個の引出し部２５２ｂ１が設けられている。
【０１２５】
一方の内部電極層２５１側の５個の引出し部２５１ａ１，２５１ｂ１，２５１ｂ２，２５１ｃ１，２５１ｃ２と他方の内部電極層２５２側の５個の引出し部２５２ａ１，２５２ａ２，２５２ｂ１，２５２ｃ１，２５２ｃ２は、図３７（Ａ）に示すように、積層方向と直交する方向で交互に間隔をおいて並ぶように各分割電極２５１ａ〜２５１ｃ，２５２ａ〜２５２ｃに形成されている。
【０１２６】
また、一方の内部電極層２５１を構成する３個の分割電極２５１ａ〜２５１ｃと他方の内部電極層２５２を構成する３個の分割電極２５２ａ〜２５２ｃは各々のパターンを異にしており、一方の内部電極層２５１を構成する３個の分割電極２５１ａ〜２５１ｃそれぞれは他方の内部電極層２５２を構成する３個の分割電極２５２ａ〜２５２ｃのうちの２個または３個の分割電極と対向している。
【０１２７】
具体的には、分割電極２５１ａは３個の分割電極２５２ａ〜２５２ｃと対向し、分割電極２５１ｂは２個の分割電極２５２ａ，２５２ｂと対向し、分割電極２５１ｃは２個の分割電極２５２ｂ，２５２ｃと対向している。
【０１２８】
さらに、一方の内部電極層２５１側の５個の引出し部２５１ａ１，２５１ｂ１，２５１ｂ２，２５１ｃ１，２５１ｃ２は５個の外部電極２０２とそれぞれ導通し、他方の内部電極層２５２側の５個の引出し部２５２ａ１，２５２ａ２，２５２ｂ１，２５２ｃ１，２５２ｃ２は残りの５個の外部電極２０３とそれぞれ導通している（図３７（Ｂ）参照）。
【０１２９】
このような分割電極パターンを採用しても、前記と同様の低ＥＳＬ化の作用及び高ＥＳＲ化の作用を得て、デカップリングコンデンサとして使用したときに低ＥＳＬと高ＥＳＲの両方を満足することができる。
【０１３０】
［第５変形例］
図３８及び図３９は図２７〜図２９に示した積層コンデンサ２００の分割電極パターンの第５変形例を示す。
【０１３１】
図３８から分かるように、一方の内部電極層２６１は三角形状の３個の分割電極２６１ａ〜２６１ｃから層全体が矩形を成すように構成されていて、そのうちの１個の分割電極２６１ａには１個の引出し部２６１ａ１が設けられ、残りの２個の分割電極２６１ｂ，２６１ｃにはそれぞれ２個の引出し部２６１ｂ１，２６１ｂ２，２６１ｃ１，２６１ｃ２が設けられている。他方の内部電極層２６２は三角形状の３個の分割電極２６２ａ〜２６２ｃから層全体が矩形を成すように構成されていて、そのうちの２個の分割電極２６２ａ，２６２ｃにはそれぞれ２個の引出し部２６２ａ１，２６２ａ２，２６２ｃ１，２６２ｃ２が設けられ、残りの１個の分割電極２６２ｂには１個の引出し部２６２ｂ１が設けられている。
【０１３２】
一方の内部電極層２６１側の５個の引出し部２６１ａ１，２６１ｂ１，２６１ｂ２，２６１ｃ１，２６１ｃ２と他方の内部電極層２６２側の５個の引出し部２６２ａ１，２６２ａ２，２６２ｂ１，２６２ｃ１，２６２ｃ２は、図３９（Ａ）に示すように、積層方向と直交する方向で交互に間隔をおいて並ぶように各分割電極２６１ａ〜２６１ｃ，２６２ａ〜２６２ｃに形成されている。
【０１３３】
また、一方の内部電極層２６１を構成する３個の分割電極２６１ａ〜２６１ｃと他方の内部電極層２６２を構成する３個の分割電極２６２ａ〜２６２ｃは各々のパターンを異にしており、一方の内部電極層２６１を構成する３個の分割電極２６１ａ〜２６１ｃそれぞれは他方の内部電極層２６２を構成する３個の分割電極２６２ａ〜２６２ｃのうちの２個または３個の分割電極と対向している。
【０１３４】
具体的には、分割電極２６１ａは２個の分割電極２６２ａ，２６２ｃと対向し、分割電極２６１ｂは２個の分割電極２６２ａ，２６２ｂと対向し、分割電極２６１ｃは３個の分割電極２６２ａ〜２６２ｃと対向している。
【０１３５】
さらに、一方の内部電極層２６１側の５個の引出し部２６１ａ１，２６１ｂ１，２６１ｂ２，２６１ｃ１，２６１ｃ２は５個の外部電極２０２とそれぞれ導通し、他方の内部電極層２６２側の５個の引出し部２６２ａ１，２６２ａ２，２６２ｂ１，２６２ｃ１，２６２ｃ２は残りの５個の外部電極２０３とそれぞれ導通している（図３９（Ｂ）参照）。
【０１３６】
このような分割電極パターンを採用しても、前記と同様の低ＥＳＬ化の作用及び高ＥＳＲ化の作用を得て、デカップリングコンデンサとして使用したときに低ＥＳＬと高ＥＳＲの両方を満足することができる。
【０１３７】
［第６変形例］
図４０及び図４１は図２７〜図２９に示した積層コンデンサ２００の分割電極パターンの第６変形例を示す。
【０１３８】
図４０から分かるように、一方の内部電極層２７１は矩形状の４個の分割電極２７１ａ〜２７１ｄから層全体が矩形を成すように構成されていて、そのうちの３個の分割電極２７１ａ〜２７１ｃにはそれぞれ１個の引出し部２７１ａ１，２７１ｂ１，２７１ｃ１が設けられ、残りの１個の分割電極２７１ｄには２個の引出し部２７１ｄ１，２７１ｄ２が設けられている。他方の内部電極層２７２は矩形状の４個の分割電極２７２ａ〜２７２ｄから層全体が矩形を成すように構成されていて、そのうちの３個の分割電極２７２ｂ〜２７２ｃにはそれぞれ１個の引出し部２７２ｂ１，２７２ｃ１，２７２ｄ１が設けられ、残りの１個の分割電極２７２ａには２個の引出し部２７２ａ１，２７２ａ２が設けられている。
【０１３９】
一方の内部電極層２７１側の５個の引出し部２７１ａ１，２７１ｂ１，２７１ｃ１，２７１ｄ１，２７１ｄ２と他方の内部電極層２７２側の５個の引出し部２７２ａ１，２７２ａ２，２７２ｂ１，２７２ｃ１，２７２ｄ１は、図４１（Ａ）に示すように、積層方向と直交する方向で交互に間隔をおいて並ぶように各分割電極２７１ａ〜２７１ｄ，２７２ａ〜２７２ｄに形成されている。
【０１４０】
また、一方の内部電極層２７１を構成する４個の分割電極２７１ａ〜２７１ｄと他方の内部電極層２７２を構成する４個の分割電極２７２ａ〜２７２ｄは各々のパターンを異にしており、一方の内部電極層２７１を構成する４個の分割電極２７１ａ〜２７１ｄそれぞれは他方の内部電極層２７２を構成する４個の分割電極２７２ａ〜２７２ｄのうちの２個または３個の分割電極と対向している。
【０１４１】
具体的には、分割電極２７１ａは３個の分割電極２７２ａ，２７２ｃ，２７２ｄと対向し、分割電極２７１ｂは３個の分割電極２７２ａ〜２７２ｃと対向し、分割電極２７１ｃは２個の分割電極２７２ａ，２７２ｂと対向し、分割電極２７１ｄは３個の分割電極２７２ｂ〜２７２ｄと対向している。
【０１４２】
さらに、一方の内部電極層２７１側の５個の引出し部２７１ａ１，２７１ｂ１，２７１ｃ１，２７１ｄ１，２７１ｄ２は５個の外部電極２０２とそれぞれ導通し、他方の内部電極層２７２側の５個の引出し部２７２ａ１，２７２ａ２，２７２ｂ１，２７２ｃ１，２７２ｄ１は残りの５個の外部電極２０３とそれぞれ導通している（図４１（Ｂ）参照）。
【０１４３】
このような分割電極パターンを採用しても、前記と同様の低ＥＳＬ化の作用及び高ＥＳＲ化の作用を得て、デカップリングコンデンサとして使用したときに低ＥＳＬと高ＥＳＲの両方を満足することができる。
【０１４４】
［第７変形例］
図４２及び図４３は図２７〜図２９に示した積層コンデンサ２００の分割電極パターンの第７変形例を示す。
【０１４５】
図４２から分かるように、一方の内部電極層２８１は三角形状の４個の分割電極２８１ａ〜２８１ｄから層全体が矩形を成すように構成されていて、そのうちの３個の分割電極２８１ａ，２８１ｂ，２８１ｄにはそれぞれ１個の引出し部２８１ａ１，２８１ｂ１，２８１ｄ１が設けられ、残りの１個の分割電極２８１ｃには２個の引出し部２８１ｃ１，２８１ｃ２が設けられている。他方の内部電極層２８２は三角形状の４個の分割電極２８２ａ〜２８２ｄから層全体が矩形を成すように構成されていて、そのうちの３個の分割電極２８２ａ〜２８２ｃにはそれぞれ１個の引出し部２８２ａ１，２８２ｂ１，２８２ｃ１が設けられ、残りの１個の分割電極２８２ｄには２個の引出し部２８２ｄ１，２８２ｄ２が設けられている。
【０１４６】
一方の内部電極層２８１側の５個の引出し部２８１ａ１，２８１ｂ１，２８１ｃ１，２８１ｃ２，２８１ｄ１と他方の内部電極層２８２側の５個の引出し部２８２ａ１，２８２ｂ１，２８２ｃ１，２８２ｄ１，２８２ｄ２は、図４３（Ａ）に示すように、積層方向と直交する方向で交互に間隔をおいて並ぶように各分割電極２８１ａ〜２８１ｄ，２８２ａ〜２８２ｄに形成されている。
【０１４７】
また、一方の内部電極層２８１を構成する４個の分割電極２８１ａ〜２８１ｄと他方の内部電極層２８２を構成する４個の分割電極２８２ａ〜２８２ｄは各々のパターンを異にしており、一方の内部電極層２８１を構成する４個の分割電極２８１ａ〜２８１ｄそれぞれは他方の内部電極層２８２を構成する４個の分割電極２８２ａ〜２８２ｄのうちの２個または３個の分割電極と対向している。
【０１４８】
具体的には、分割電極２８１ａは２個の分割電極２８２ａ，２８２ｄと対向し、分割電極２８１ｂは３個の分割電極２８２ａ〜２８２ｃと対向し、分割電極２６１ｃは２個の分割電極２８２ｂ，２８２ｃと対向し、分割電極２８１ｄは３個の分割電極２８２ｃ，２８２ａ，２８２ｄと対向している。
【０１４９】
さらに、一方の内部電極層２８１側の５個の引出し部２８１ａ１，２８１ｂ１，２８１ｃ１，２８１ｃ２，２８１ｄ１は５個の外部電極２０２とそれぞれ導通し、他方の内部電極層２８２側の５個の引出し部２８２ａ１，２８２ｂ１，２８２ｃ１，２８２ｄ１，２８２ｄ２は残りの５個の外部電極２０３とそれぞれ導通している（図４３（Ｂ）参照）。
【０１５０】
このような分割電極パターンを採用しても、前記と同様の低ＥＳＬ化の作用及び高ＥＳＲ化の作用を得て、デカップリングコンデンサとして使用したときに低ＥＳＬと高ＥＳＲの両方を満足することができる。
【０１５１】
［第８変形例］
図４４及び図４５は図２７〜図２９に示した積層コンデンサ２００の分割電極パターンの第６変形例を示す。
【０１５２】
図４４から分かるように、一方の内部電極層２９１は三角形状の５個の分割電極２９１ａ〜２９１ｅから層全体が矩形を成すように構成されていて、各分割電極２９１ａ〜２９１ｅにはそれぞれ１個の引出し部２９１ａ１〜２９１ｅ１が設けられている。他方の内部電極層２９２は三角形状の２個の分割電極２９２ａ，２９２ｂから層全体が矩形を成すように構成されていて、そのうちの１個の分割電極２９２ａには２個の引出し部２９２ａ１，２９２ａ２が設けられ、残りの１個の分割電極２９２ｂには３個の引出し部２９２ｂ１〜２９２ｂ３が設けられている。
【０１５３】
一方の内部電極層２９１側の５個の引出し部２９１ａ１〜２９１ｅ１と他方の内部電極層２９２側の５個の引出し部２９２ａ１，２９２ａ２，２９２ｂ１〜２９２ｂ３は、図４５（Ａ）に示すように、積層方向と直交する方向で交互に間隔をおいて並ぶように各分割電極２９１ａ〜２９１ｅ，２９２ａ，２９２ｂに形成されている。
【０１５４】
また、一方の内部電極層２９１を構成する５個の分割電極２９１ａ〜２９１ｅと他方の内部電極層２９２を構成する２個の分割電極２９２ａ，２９２ｂは各々のパターンを異にしており、一方の内部電極層２９１を構成する５個の分割電極２９１ａ〜２９１ｅそれぞれは他方の内部電極層２９２を構成する２個の分割電極２９２ａ，２９２ｂと対向している。
【０１５５】
具体的には、分割電極２９１ａは２個の分割電極２９２ａ，２９２ｂと対向し、分割電極２９１ｂは２個の分割電極２９２ａ，２９２ｂと対向し、分割電極２９１ｃは２個の分割電極２９２ａ，２９２ｂと対向し、分割電極２９１ｄは２個の分割電極２９２ａ，２９２ｂと対向し、分割電極２９１ｅは２個の分割電極２９２ａ，２９２ｂと対向している。
【０１５６】
さらに、一方の内部電極層２９１側の５個の引出し部２９１ａ１〜２９１ｅ１は５個の外部電極２０２とそれぞれ導通し、他方の内部電極層２９２側の５個の引出し部２９２ａ１，２９２ａ２，２９２ｂ１〜２９２ｂ３は残りの５個の外部電極２０３とそれぞれ導通している（図４５（Ｂ）参照）。
【０１５７】
このような分割電極パターンを採用しても、前記と同様の低ＥＳＬ化の作用及び高ＥＳＲ化の作用を得て、デカップリングコンデンサとして使用したときに低ＥＳＬと高ＥＳＲの両方を満足することができる。
【０１５８】
［他の変形例］
前記の第２実施形態並びに第１〜第８変形例では、一方の内部電極層及び他方の分割電極層を構成する複数の分割電極として矩形と三角形をその基準形状としたものを示したが、台形や５角形以上の多角形をその基準形状としても差し支えない。
【０１５９】
また、前記の第２実施形態並びに第１〜第８変形例では、分割電極間の隙間（分割ライン）として直線状のものを示したが、所期の分割が行えるものであれば該分割ラインは湾曲状や波状や鋸歯状等であっても差し支えない。特に、誘電体層を介して向き合う各内部電極層の分割ラインが積層方向で長い距離合致することを理由として積層チップの表面に分割ラインに応じた凹みが形成される場合には、前記のように分割ラインの形状を変えるか、或いは、分割ラインの位置を変えることによって合致を避けることにより積層チップの表面に分割ラインに応じた凹みが形成されることを防止できる。
【０１６０】
さらに、前記の第２実施形態並びに第１〜第８変形例に示した各分割電極相互の対向形態はあくまでも一例であって、一方の内部電極層及び他方の内部電極層を構成する複数の分割電極の面積を変えることによって、各内部電極層を構成する複数の分割電極それぞれの対向面積（向き合う側の内部電極層の２以上の分割電極と対向する面積）を実質的に同じにしたり、異ならせたり、一部のみを同じにすることが任意に行える。
【０１６１】
さらに、前記の第２実施形態並びに第１〜第８変形例では、２種類の内部電極層を誘電体層を介して交互に積層したものを示したが、３種類以上の内部電極層を用い該内部電極層を誘電体層を介して所定の順序で積層するようにしてもよい。例えば、分割数が同じでパターンが異なる３種類の内部電極層を用い、これら内部電極層を誘電体層２０４を介して順番に積層するようにしたり、或いは、分割数及びパターンが異なる内部電極層を３種類以上用い、これら内部電極層を誘電体層２０４を介して順番に積層するようにしてもよい。
【０１６２】
［第３実施形態］
図４６〜図４８は本発明の第３実施形態を示す。この積層コンデンサ３００は、図４６に示すように、直方体形状の積層チップ３０１の４側面に合計で１２個の外部電極３０２，３０３を有する。
【０１６３】
積層チップ３０１は、誘電体層３０４と２種類の内部電極層３１１，３１２とを、図４７に示すように、誘電体層３０４，内部電極層３１１，誘電体層３０４，内部電極層３１２，誘電体層３０４・・・の順に積層して一体化した構成を備えている。
【０１６４】
図４７から分かるように、一方の内部電極層３１１は矩形状（台形を含む）の６個の分割電極３１１ａ〜３１１ｆから層全体が矩形を成すように構成されていて、各分割電極３１１ａ〜３１１ｆにはそれぞれ１個の引出し部３１１ａ１〜３１１ｆ１が設けられている。他方の内部電極層３１２は矩形状（台形を含む）の６個の分割電極３１２ａ〜３１２ｆから層全体が矩形を成すように構成されていて、各分割電極３１２ａ〜３１２ｆにはそれぞれ１個の引出し部３１２ａ１〜３１２ｆ１が設けられている。因みに、ここでの「分割」とは互いが非接触で離れている状態を意味する。
【０１６５】
一方の内部電極層３１１側の６個の引出し部３１１ａ１〜３１１ｆ１と他方の内部電極層３１２側の６個の引出し部３１２ａ１〜３１２ｆ１は、図４７（Ａ）に示すように、積層方向と直交する方向で交互に間隔をおいて並ぶように各分割電極３１１ａ〜３１１ｆ，３１２ａ〜３１２ｆに形成されている。
【０１６６】
また、一方の内部電極層３１１を構成する６個の分割電極３１１ａ〜３１１ｆと他方の内部電極層３１２を構成する６個の分割電極３１２ａ〜３１２ｆは各々のパターンを異にしており、一方の内部電極層３１１を構成する６個の分割電極３１１ａ〜３１１ｆそれぞれは他方の内部電極層３１２を構成する６個の分割電極３１２ａ〜３１２ｆのうちの２個の分割電極と対向している。
【０１６７】
具体的には、分割電極３１１ａは２個の分割電極３１２ａ，３１２ｆと対向し、分割電極３１１ｂは２個の分割電極３１２ａ，３１２ｂと対向し、分割電極３１１ｃは２個の分割電極３１２ｂ，３１２ｃと対向し、分割電極３１１ｄは２個の分割電極３１２ｃ，３１２ｄと対向し、分割電極３１１ｅは２個の分割電極３１２ｄ，３１２ｅと対向し、分割電極３１１ｆは２個の分割電極３１２ｅ，３１２ｆと対向している。
【０１６８】
さらに、一方の内部電極層３１１側の６個の引出し部３１１ａ１〜３１１ｆ１は６個の外部電極３０２とそれぞれ導通し、他方の内部電極層３１２側の６個の引出し部３１２ａ１〜３１２ｆ１は残りの６個の外部電極３０３とそれぞれ導通している（図４８（Ｂ）参照）。
【０１６９】
この積層コンデンサ３００をデカップリングコンデンサとして用いるときには、図４８（Ｂ）に示すように、実装状態で、６個の外部電極３０２にプラス（或いはマイナス）の極性を付与し、残りの６個の外部電極３０３にマイナス（或いはプラス）の極性を付与する。
【０１７０】
つまり、１２個の外部電極３０２，３０３には積層方向と直交する方向で異なる極性が交互に付与され、隣り合う外部電極には逆向きの電流が流れるので、これら電流によって発生する磁束は互いに打ち消し合うように効果的に作用し、結果的にＥＳＬが低減される。
【０１７１】
また、６個の分割電極３１１ａ〜３１１ｆから構成された一方の内部電極層３１１には分割電極単位で電流が流れ、６個の分割電極３１２ａ〜３１２ｆから構成された他方の内部電極層３１２にも分割電極単位で電流が流れるため、各内部電極層３１１，３１２に流れる電流が効果的に抑制されて、結果的にＥＳＲが高められる。
【０１７２】
従って、前記の積層コンデンサ３００によれば、デカップリングコンデンサとして使用したときに低ＥＳＬと高ＥＳＲの両方を満足することができる。
【０１７３】
［第１変形例］
図４９及び図５０は図４６〜図４８に示した積層コンデンサ３００の分割電極パターンの第１変形例を示す。
【０１７４】
図４９から分かるように、一方の内部電極層３２１は矩形状の２個の分割電極３２１ａ，３２１ｂから層全体が矩形を成すように構成されていて、そのうちの１個の分割電極３２１ａには３個の引出し部３２１ａ１〜３２１ａ３が設けられ、残りの１個の分割電極３２１ｂには３個の引出し部３２１ｂ１〜３２１ｂ３が設けられている。他方の内部電極層３２２は矩形状の２個の分割電極３２２ａ，３２２ｂから層全体が矩形を成すように構成されていて、そのうちの１個の分割電極３２２ａには３個の引出し部３２２ａ１〜３２２ａ３が設けられ、残りの１個の分割電極３２２ｂには３個の引出し部３２２ｂ１〜３２２ｂ３が設けられている。
【０１７５】
一方の内部電極層３２１側の６個の引出し部３２１ａ１〜３２１ａ３，３２１ｂ１〜３２１ｂ３と他方の内部電極層３２２側の６個の引出し部３２２ａ１〜３２２ａ３，３２２ｂ１〜３２２ｂ３は、図５０（Ａ）に示すように、積層方向と直交する方向で交互に間隔をおいて並ぶように各分割電極３２１ａ，３２１ｂ，３２２ａ，３２２ｂに形成されている。
【０１７６】
また、一方の内部電極層３２１を構成する２個の分割電極３２１ａ，３２１ｂと他方の内部電極層３２２を構成する２個の分割電極３２２ａ，３２２ｂは各々のパターンを異にしており、一方の内部電極層３２１を構成する２個の分割電極３２１ａ，３２１ｂそれぞれは他方の内部電極層３２２を構成する２個の分割電極３２２ａ，３２２ｂと対向している。
【０１７７】
具体的には、分割電極３２１ａは２個の分割電極３２２ａ，３２２ｂと対向し、分割電極３２１ｂは２個の分割電極３２２ａ，３２２ｂと対向している。
【０１７８】
さらに、一方の内部電極層３２１側の６個の引出し部３２１ａ１〜３２１ａ３，３２１ｂ１〜３２１ｂ３は６個の外部電極３０２とそれぞれ導通し、他方の内部電極層３２２側の６個の引出し部３２２ａ１〜３２２ａ３，３２２ｂ１〜３２２ｂ３は残りの６個の外部電極３０３とそれぞれ導通している（図５０（Ｂ）参照）。
【０１７９】
このような分割電極パターンを採用しても、前記と同様の低ＥＳＬ化の作用及び高ＥＳＲ化の作用を得て、デカップリングコンデンサとして使用したときに低ＥＳＬと高ＥＳＲの両方を満足することができる。
【０１８０】
［他の変形例］
前記の第３実施形態並びに第１変形例では、一方の内部電極層及び他方の分割電極層を構成する複数の分割電極として矩形と三角形をその基準形状としたものを示したが、台形や５角形以上の多角形をその基準形状としても差し支えない。
【０１８１】
また、前記の第１実施形態並びに第１変形例では、分割電極間の隙間（分割ライン）として直線状のものを示したが、所期の分割が行えるものであれば該分割ラインは湾曲状や波状や鋸歯状等であっても差し支えない。特に、誘電体層を介して向き合う各内部電極層の分割ラインが積層方向で長い距離合致することを理由として積層チップの表面に分割ラインに応じた凹みが形成される場合には、前記のように分割ラインの形状を変えるか、或いは、分割ラインの位置を変えることによって合致を避けることにより積層チップの表面に分割ラインに応じた凹みが形成されることを防止できる。
【０１８２】
さらに、前記の第１実施形態並びに第１変形例に示した各分割電極相互の対向形態はあくまでも一例であって、一方の内部電極層及び他方の内部電極層を構成する複数の分割電極の面積を変えることによって、各内部電極層を構成する複数の分割電極それぞれの対向面積（向き合う側の内部電極層の２以上の分割電極と対向する面積）を実質的に同じにしたり、異ならせたり、一部のみを同じにすることが任意に行える。
【０１８３】
さらに、前記の第１実施形態並びに第１変形例では、各内部電極層を６分割の分割電極または２分割の分割電極によって構成したものを示したが、各内部電極層を５分割の分割電極や４分割の分割電極や３分割の分割電極で構成してもよい。
【０１８４】
さらに、前記の第１実施形態並びに第１〜第７変形例では、２種類の内部電極層を誘電体層を介して交互に積層したものを示したが、３種類以上の内部電極層を用い該内部電極層を誘電体層を介して所定の順序で積層するようにしてもよい。例えば、分割数が同じでパターンが異なる３種類の内部電極層を用い、これら内部電極層を誘電体層３０４を介して順番に積層するようにしたり、或いは、分割数及びパターンが異なる内部電極層を３種類以上用い、これら内部電極層を誘電体層３０４を介して順番に積層するようにしてもよい。
【０１８５】
［第４実施形態］
図５１〜図５３は本発明の第４実施形態を示す。この積層コンデンサ４００は、図５１に示すように、直方体形状の積層チップ４０１の４側面に合計で１６個の外部電極４０２，４０３を有する。
【０１８６】
積層チップ４０１は、誘電体層４０４と２種類の内部電極層４１１，４１２とを、図５２に示すように、誘電体層４０４，内部電極層４１１，誘電体層４０４，内部電極層４１２，誘電体層４０４・・・の順に積層して一体化した構成を備えている。
【０１８７】
図５２から分かるように、一方の内部電極層４１１は三角形状の８個の分割電極４１１ａ〜４１１ｈから層全体が矩形を成すように構成されていて、各分割電極４１１ａ〜４１１ｈにはそれぞれ１個の引出し部４１１ａ１〜４１１ｈ１が設けられている。他方の内部電極層４１２は三角形状の８個の分割電極４１２ａ〜４１２ｈから層全体が矩形を成すように構成されていて、各分割電極４１２ａ〜４１２ｈにはそれぞれ１個の引出し部４１２ａ１〜４１２ｈ１が設けられている。因みに、ここでの「分割」とは互いが非接触で離れている状態を意味する。
【０１８８】
一方の内部電極層４１１側の８個の引出し部４１１ａ１〜４１１ｈ１と他方の内部電極層４１２側の８個の引出し部４１２ａ１〜４１２ｈ１は、図５３（Ａ）に示すように、積層方向と直交する方向で交互に間隔をおいて並ぶように各分割電極４１１ａ〜４１１ｈ，４１２ａ〜４１２ｈに形成されている。
【０１８９】
また、一方の内部電極層４１１を構成する８個の分割電極４１１ａ〜４１１ｈと他方の内部電極層４１２を構成する８個の分割電極４１２ａ〜４１２ｆは各々のパターンを異にしており、一方の内部電極層４１１を構成する８個の分割電極４１１ａ〜４１１ｈそれぞれは他方の内部電極層４１２を構成する８個の分割電極４１２ａ〜４１２ｈのうちの２個の分割電極と対向している。
【０１９０】
具体的には、分割電極４１１ａは２個の分割電極４１２ｈ，４１２ａと対向し、分割電極４１１ｂは２個の分割電極４１２ａ，４１２ｂと対向し、分割電極４１１ｃは２個の分割電極４１２ｂ，４１２ｃと対向し、分割電極４１１ｄは２個の分割電極４１２ｃ，４１２ｄと対向し、分割電極４１１ｅは２個の分割電極４１２ｄ，４１２ｅと対向し、分割電極４１１ｆは２個の分割電極４１２ｅ，４１２ｆと対向し、分割電極４１１ｇは２個の分割電極４１２ｆ，４１２ｇと対向し、分割電極４１１ｈは２個の分割電極４１２ｇ，４１２ｈと対向している。
【０１９１】
さらに、一方の内部電極層４１１側の８個の引出し部４１１ａ１〜４１１ｈ１は８個の外部電極４０２とそれぞれ導通し、他方の内部電極層４１２側の８個の引出し部４１２ａ１〜４１２ｈ１は残りの８個の外部電極４０３とそれぞれ導通している（図５３（Ｂ）参照）。
【０１９２】
この積層コンデンサ４００をデカップリングコンデンサとして用いるときには、図５３（Ｂ）に示すように、実装状態で、８個の外部電極４０２にプラス（或いはマイナス）の極性を付与し、残りの８個の外部電極４０３にマイナス（或いはプラス）の極性を付与する。
【０１９３】
つまり、１６個の外部電極４０２，４０３には積層方向と直交する方向で異なる極性が交互に付与され、隣り合う外部電極には逆向きの電流が流れるので、これら電流によって発生する磁束は互いに打ち消し合うように効果的に作用し、結果的にＥＳＬが低減される。
【０１９４】
また、８個の分割電極４１１ａ〜４１１ｈから構成された一方の内部電極層４１１には分割電極単位で電流が流れ、８個の分割電極４１２ａ〜４１２ｈから構成された他方の内部電極層４１２にも分割電極単位で電流が流れるため、各内部電極層４１１，４１２に流れる電流が効果的に抑制されて、結果的にＥＳＲが高められる。
【０１９５】
従って、前記の積層コンデンサ４００によれば、デカップリングコンデンサとして使用したときに低ＥＳＬと高ＥＳＲの両方を満足することができる。
【０１９６】
［変形例］
前記の第４実施形態では、一方の内部電極層及び他方の分割電極層を構成する複数の分割電極として三角形をその基準形状としたものを示したが、矩形や台形や５角形以上の多角形をその基準形状としても差し支えない。
【０１９７】
また、前記の第４実施形態では、分割電極間の隙間（分割ライン）として直線状のものを示したが、所期の分割が行えるものであれば該分割ラインは湾曲状や波状や鋸歯状等であっても差し支えない。特に、誘電体層を介して向き合う各内部電極層の分割ラインが積層方向で長い距離合致することを理由として積層チップの表面に分割ラインに応じた凹みが形成される場合には、前記のように分割ラインの形状を変えるか、或いは、分割ラインの位置を変えることによって合致を避けることにより積層チップの表面に分割ラインに応じた凹みが形成されることを防止できる。
【０１９８】
さらに、前記の第４実施形態に示した各分割電極相互の対向形態はあくまでも一例であって、一方の内部電極層及び他方の内部電極層を構成する複数の分割電極の面積を変えることによって、各内部電極層を構成する複数の分割電極それぞれの対向面積（向き合う側の内部電極層の２以上の分割電極と対向する面積）を実質的に同じにしたり、異ならせたり、一部のみを同じにすることが任意に行える。
【０１９９】
さらに、前記の第４実施形態では、各内部電極層を８分割の分割電極によって構成したものを示したが、各内部電極層を７分割の分割電極や６分割の分割電極や５分割の分割電極や４分割の分割電極や３分割の分割電極や２分割の分割電極で構成してもよい。
【０２００】
さらに、前記の第４実施形態では、２種類の内部電極層を誘電体層を介して交互に積層したものを示したが、３種類以上の内部電極層を用い該内部電極層を誘電体層を介して所定の順序で積層するようにしてもよい。例えば、分割数が同じでパターンが異なる３種類の内部電極層を用い、これら内部電極層を誘電体層４０４を介して順番に積層するようにしたり、或いは、分割数及びパターンが異なる内部電極層を３種類以上用い、これら内部電極層を誘電体層４０４を介して順番に積層するようにしてもよい。
【０２０１】
［第５実施形態］
図５４〜図５６は本発明の第５実施形態を示す。この積層コンデンサ５００は、図５４に示すように、直方体形状の積層チップ５０１の４側面に合計で１６個の外部電極５０２，５０３を有する。
【０２０２】
積層チップ５０１は、誘電体層５０４と２種類の内部電極層５１１，５１２とを、図５５に示すように、誘電体層５０４，内部電極層５１１，誘電体層５０４，内部電極層５１２，誘電体層５０４・・・の順に積層して一体化した構成を備えている。
【０２０３】
図５５から分かるように、一方の内部電極層５１１は三角形状の２個の分割電極５１１ａ，５１１ｂから層全体が矩形を成すように構成されていて、各分割電極５１１ａ，５１１ｂにはそれぞれ４個の引出し部５１１ａ１〜５１１ａ４，５１１ｂ１〜５１１ｂ４が設けられている。他方の内部電極層５１２は三角形状の２個の分割電極５１２ａ，５１２ｂから層全体が矩形を成すように構成されていて、各分割電極５１２ａ，５１２ｂにはそれぞれ４個の引出し部５１２ａ１〜５１２ａ４，５１２ｂ１〜５１２ｂ４が設けられている。因みに、ここでの「分割」とは互いが非接触で離れている状態を意味する。
【０２０４】
一方の内部電極層５１１側の８個の引出し部５１１ａ１〜５１１ａ４，５１１ｂ１〜５１１ｂ４と他方の内部電極層４１２側の８個の引出し部５１２ａ１〜５１２ａ４，５１２ｂ１〜５１２ｂ４は、図５６（Ａ）に示すように、積層方向と直交する方向で交互に間隔をおいて並ぶように各分割電極５１１ａ，５１１ｂ，５１２ａ，５１２ｂに形成されている。
【０２０５】
また、一方の内部電極層５１１を構成する２個の分割電極５１１ａ，５１１ｂと他方の内部電極層５１２を構成する２個の分割電極５１２ａ，５１２ｂは各々のパターンを異にしており、一方の内部電極層５１１を構成する２個の分割電極５１１ａ，５１１ｂそれぞれは他方の内部電極層５１２を構成する２個の分割電極５１２ａ，５１２ｂと対向している。
【０２０６】
具体的には、分割電極５１１ａは２個の分割電極５１２ａ，５１２ｂと対向し、分割電極５１１ｂは２個の分割電極５１２ａ，５１２ｂと対向している。
【０２０７】
さらに、一方の内部電極層５１１側の８個の引出し部５１１ａ１〜５１１ａ４，５１１ｂ１〜５１１ｂ４は８個の外部電極５０２とそれぞれ導通し、他方の内部電極層５１２側の８個の引出し部５１２ａ１〜５１２ａ４，５１２ｂ１〜５１２ｂ４は残りの８個の外部電極５０３とそれぞれ導通している（図５６（Ｂ）参照）。
【０２０８】
この積層コンデンサ５００をデカップリングコンデンサとして用いるときには、図５６（Ｂ）に示すように、実装状態で、８個の外部電極５０２にプラス（或いはマイナス）の極性を付与し、残りの８個の外部電極５０３にマイナス（或いはプラス）の極性を付与する。
【０２０９】
つまり、１６個の外部電極５０２，５０３には積層方向と直交する方向で異なる極性が交互に付与され、隣り合う外部電極には逆向きの電流が流れるので、これら電流によって発生する磁束は互いに打ち消し合うように効果的に作用し、結果的にＥＳＬが低減される。
【０２１０】
また、２個の分割電極５１１ａ，５１１ｂから構成された一方の内部電極層５１１には分割電極単位で電流が流れ、２個の分割電極５１２ａ，５１２ｂから構成された他方の内部電極層５１２にも分割電極単位で電流が流れるため、各内部電極層５１１，５１２に流れる電流が効果的に抑制されて、結果的にＥＳＲが高められる。
【０２１１】
従って、前記の積層コンデンサ５００によれば、デカップリングコンデンサとして使用したときに低ＥＳＬと高ＥＳＲの両方を満足することができる。
【０２１２】
［変形例］
前記の第５実施形態では、一方の内部電極層及び他方の分割電極層を構成する複数の分割電極として三角形をその基準形状としたものを示したが、矩形や台形や５角形以上の多角形をその基準形状としても差し支えない。
【０２１３】
また、前記の第５実施形態では、分割電極間の隙間（分割ライン）として直線状のものを示したが、所期の分割が行えるものであれば該分割ラインは湾曲状や波状や鋸歯状等であっても差し支えない。特に、誘電体層を介して向き合う各内部電極層の分割ラインが積層方向で長い距離合致することを理由として積層チップの表面に分割ラインに応じた凹みが形成される場合には、前記のように分割ラインの形状を変えるか、或いは、分割ラインの位置を変えることによって合致を避けることにより積層チップの表面に分割ラインに応じた凹みが形成されることを防止できる。
【０２１４】
さらに、前記の第５実施形態に示した各分割電極相互の対向形態はあくまでも一例であって、一方の内部電極層及び他方の内部電極層を構成する複数の分割電極の面積を変えることによって、各内部電極層を構成する複数の分割電極それぞれの対向面積（向き合う側の内部電極層の２以上の分割電極と対向する面積）を実質的に同じにしたり、異ならせたり、一部のみを同じにすることが任意に行える。
【０２１５】
さらに、前記の第５実施形態では、各内部電極層を２分割の分割電極によって構成したものを示したが、各内部電極層を８分割の分割電極や７分割の分割電極や６分割の分割電極や５分割の分割電極や４分割の分割電極や３分割の分割電極で構成してもよい。
【０２１６】
さらに、前記の第５実施形態では、２種類の内部電極層を誘電体層を介して交互に積層したものを示したが、３種類以上の内部電極層を用い該内部電極層を誘電体層を介して所定の順序で積層するようにしてもよい。例えば、分割数が同じでパターンが異なる３種類の内部電極層を用い、これら内部電極層を誘電体層５０４を介して順番に積層するようにしたり、或いは、分割数及びパターンが異なる内部電極層を３種類以上用い、これら内部電極層を誘電体層５０４を介して順番に積層するようにしてもよい。
【図面の簡単な説明】
【０２１７】
【図１】第１従来例を示す積層コンデンサの斜視図である。
【図２】第１従来例における誘電体層及び内部電極の斜視図である。
【図３】第１従来例における引出し部の位置を示す上面図と外部電極の極性を示す上面図である。
【図４】第２従来例を示す積層コンデンサの斜視図である。
【図５】第２従来例における誘電体層及び内部電極の斜視図である。
【図６】第２従来例における引出し部の位置を示す上面図と外部電極の極性を示す上面図である。
【図７】第３従来例を示す積層コンデンサの斜視図である。
【図８】第３従来例における誘電体層及び内部電極の斜視図である。
【図９】第３従来例における引出し部の位置を示す上面図と外部電極の極性を示す上面図である。
【図１０】本発明の第１実施形態を示す積層コンデンサの斜視図である。
【図１１】第１実施形態における誘電体層及び内部電極の斜視図である。
【図１２】第１実施形態における引出し部の位置を示す上面図と外部電極の極性を示す上面図である。
【図１３】第１実施形態の第１変形例を示す誘電体層及び内部電極の斜視図である。
【図１４】第１変形例における引出し部の位置を示す上面図と外部電極の極性を示す上面図である。
【図１５】第１実施形態の第２変形例を示す誘電体層及び内部電極の斜視図である。
【図１６】第２変形例における引出し部の位置を示す上面図と外部電極の極性を示す上面図である。
【図１７】第１実施形態の第３変形例を示す誘電体層及び内部電極の斜視図である。
【図１８】第３変形例における引出し部の位置を示す上面図と外部電極の極性を示す上面図である。
【図１９】第１実施形態の第４変形例を示す誘電体層及び内部電極の斜視図である。
【図２０】第４変形例における引出し部の位置を示す上面図と外部電極の極性を示す上面図である。
【図２１】第１実施形態の第５変形例を示す誘電体層及び内部電極の斜視図である。
【図２２】第５変形例における引出し部の位置を示す上面図と外部電極の極性を示す上面図である。
【図２３】第１実施形態の第６変形例を示す誘電体層及び内部電極の斜視図である。
【図２４】第６変形例における引出し部の位置を示す上面図と外部電極の極性を示す上面図である。
【図２５】第１実施形態の第７変形例を示す誘電体層及び内部電極の斜視図である。
【図２６】第７変形例における引出し部の位置を示す上面図と外部電極の極性を示す上面図である。
【図２７】本発明の第２実施形態を示す積層コンデンサの斜視図である。
【図２８】第２実施形態における誘電体層及び内部電極の斜視図である。
【図２９】第２実施形態における引出し部の位置を示す上面図と外部電極の極性を示す上面図である。
【図３０】第２実施形態の第１変形例を示す誘電体層及び内部電極の斜視図である。
【図３１】第１変形例における引出し部の位置を示す上面図と外部電極の極性を示す上面図である。
【図３２】第２実施形態の第２変形例を示す誘電体層及び内部電極の斜視図である。
【図３３】第２変形例における引出し部の位置を示す上面図と外部電極の極性を示す上面図である。
【図３４】第２実施形態の第３変形例を示す誘電体層及び内部電極の斜視図である。
【図３５】第３変形例における引出し部の位置を示す上面図と外部電極の極性を示す上面図である。
【図３６】第２実施形態の第４変形例を示す誘電体層及び内部電極の斜視図である。
【図３７】第４変形例における引出し部の位置を示す上面図と外部電極の極性を示す上面図である。
【図３８】第２実施形態の第５変形例を示す誘電体層及び内部電極の斜視図である。
【図３９】第５変形例における引出し部の位置を示す上面図と外部電極の極性を示す上面図である。
【図４０】第２実施形態の第６変形例を示す誘電体層及び内部電極の斜視図である。
【図４１】第６変形例における引出し部の位置を示す上面図と外部電極の極性を示す上面図である。
【図４２】第２実施形態の第７変形例を示す誘電体層及び内部電極の斜視図である。
【図４３】第７変形例における引出し部の位置を示す上面図と外部電極の極性を示す上面図である。
【図４４】第２実施形態の第８変形例を示す誘電体層及び内部電極の斜視図である。
【図４５】第８変形例における引出し部の位置を示す上面図と外部電極の極性を示す上面図である。
【図４６】本発明の第３実施形態を示す積層コンデンサの斜視図である。
【図４７】第３実施形態における誘電体層及び内部電極の斜視図である。
【図４８】第３実施形態における引出し部の位置を示す上面図と外部電極の極性を示す上面図である。
【図４９】第３実施形態の第１変形例を示す誘電体層及び内部電極の斜視図である。
【図５０】第１変形例における引出し部の位置を示す上面図と外部電極の極性を示す上面図である。
【図５１】本発明の第４実施形態を示す積層コンデンサの斜視図である。
【図５２】第４実施形態における誘電体層及び内部電極の斜視図である。
【図５３】第４実施形態における引出し部の位置を示す上面図と外部電極の極性を示す上面図である。
【図５４】本発明の第５実施形態を示す積層コンデンサの斜視図である。
【図５５】第５実施形態における誘電体層及び内部電極の斜視図である。
【図５６】第５実施形態における引出し部の位置を示す上面図と外部電極の極性を示す上面図である。
【符号の説明】
【０２１８】
１００…積層コンデンサ、１０１…積層チップ、１０２，１０３…外部電極、１０４…誘電体層、１１１…内部電極層、１１１ａ〜１１１ｄ…分割電極、１１１ａ１〜１１１ｄ１…引出し部、１１２…内部電極層、１１２ａ〜１１２ｄ…分割電極、１１２ａ１〜１１２ｄ１…引出し部、１２１…内部電極層、１２１ａ〜１２１ｄ…分割電極、１２１ａ１〜１２１ｄ１…引出し部、１２２…内部電極層、１２２ａ〜１２２ｄ…分割電極、１２２ａ１〜１２２ｄ１…引出し部、１３１…内部電極層、１３１ａ，１３１ｂ…分割電極、１３１ａ１，１３１ａ２，１３１ｂ１，１３１ｂ２…引出し部、１３２…内部電極層、１３２ａ，１３２ｂ…分割電極、１３２ａ１，１３２ａ２，１３２ｂ１，１３２ｂ２…引出し部、１４１…内部電極層、１４１ａ，１４１ｂ…分割電極、１４１ａ１，１４１ａ２，１４１ｂ１，１４１ｂ２…引出し部、１４２…内部電極層、１４２ａ，１４２ｂ…分割電極、１４２ａ１，１４２ａ２，１４２ｂ１，１４２ｂ２…引出し部、１５１…内部電極層、１４１ａ〜１４１ｃ…分割電極、１５１ａ１，１５１ｂ１，１５１ｂ２，１５１ｃ１…引出し部、１５２…内部電極層、１４２ａ〜１４２ｃ…分割電極、１５２ａ１，１５２ａ２，１５２ｂ１，１５２ｃ１…引出し部、１６１…内部電極層、１６１ａ〜１６１ｃ…分割電極、１６１ａ１，１６１ａ２，１６１ｂ１，１６１ｃ１…引出し部、１６２…内部電極層、１６２ａ〜１６２ｃ…分割電極、１６２ａ１，１６２ｂ１，１６２ｃ１，１６２ｃ２…引出し部、１７１…内部電極層、１７１ａ，１７１ｂ…分割電極、１７１ａ１，１７１ａ２，１７１ｂ１，１７１ｂ２…引出し部、１７２…内部電極層、１７２ａ〜１７２ｄ…分割電極、１７２ａ１〜１７２ｄ１…引出し部、１８１…内部電極層、１８１ａ，１８１ｂ…分割電極、１８１ａ１，１８１ａ２，１８１ｂ１，１８１ｂ２…引出し部、１８２…内部電極層、１８２ａ〜１８２ｄ…分割電極、１８２ａ１〜１８２ｄ１…引出し部、２００…積層コンデンサ、２０１…積層チップ、２０２，２０３…外部電極、２０４…誘電体層、２１１…内部電極層、２１１ａ〜２１１ｅ…分割電極、２１１ａ１〜２１１ｅ１…引出し部、２１２…内部電極層、２１２ａ〜２１２ｅ…分割電極、２１２ａ１〜２１２ｅ１…引出し部、２２１…内部電極層、２２１ａ〜２２１ｅ…分割電極、２２１ａ１〜２２１ｅ…引出し部、２２２…内部電極層、２２２ａ〜２２２ｅ…分割電極、２２２ａ１〜２２２ｅ１…引出し部、２３１…内部電極層、２３１ａ，２３１ｂ…分割電極、２３１ａ１，２３１ａ２，２３１ｂ１，２３１ｂ２…引出し部、２３２…内部電極層、２３２ａ，２３２ｂ…分割電極、２３２ａ１，２３２ａ２，２３２ｂ１，２３２ｂ２…引出し部、２４１…内部電極層、２４１ａ，２４１ｂ…分割電極、２４１ａ１，２４１ａ２，２４１ｂ１，２４１ｂ２…引出し部、２４２…内部電極層、２４２ａ，２４２ｂ…分割電極、２４２ａ１，２４２ａ２，２４２ｂ１，２４２ｂ２…引出し部、２５１…内部電極層、２５１ａ〜２５１ｄ…分割電極、２５１ａ１，２５１ｂ１，２５１ｂ２，２５１ｃ１，２５１ｃ２…引出し部、２５２…内部電極層、２５２ａ〜２５２ｃ…分割電極、２５２ａ１，２５２ａ２，２５２ｂ１，２５２ｃ１，２５２ｃ２…引出し部、２６１…内部電極層、２６１ａ〜２６１ｃ…分割電極、２６１ａ１，２６１ｂ１，２６１ｂ２，２６１ｃ１，２６１ｃ２…引出し部、２６２…内部電極層、２６２ａ〜２６２ｃ…分割電極、２６２ａ１，２６２ａ２，２６２ｂ１，２６２ｃ１，２６２ｃ２…引出し部、２７１…内部電極層、２７１ａ〜２７１ｄ…分割電極、２７１ａ１，２７１ｂ１，２７１ｃ１，２７１ｄ１，２７１ｄ２…引出し部、２７２…内部電極層、２７２ａ〜２７２ｄ…分割電極、２７２ａ１，２７２ａ２，２７２ｂ１，２７２ｃ１，２７２ｄ１…引出し部、２８１…内部電極層、２８１ａ〜２８１ｄ…分割電極、２８１ａ１，２８１ｂ１，２８１ｃ１，２８１ｃ２，２８１ｄ１…引出し部、２８２…内部電極層、２８２ａ〜２８２ｄ…分割電極、２８２ａ１，２８２ｂ１，２８２ｃ１，２８２ｄ１，２８２ｄ２…引出し部、２９１…内部電極層、２９１ａ〜２９１ｅ…分割電極、２９１ａ１〜２９１ｅ１…引出し部、２９２…内部電極層、２９２ａ，２９２ｂ…分割電極、２９２ａ１，２９２ａ２，２９２ｂ１〜２９２ｂ３…引出し部、３００…積層コンデンサ、３０１…積層チップ、３０２，３０３…外部電極、３０４…誘電体層、３１１…内部電極層、３１１ａ〜３１１ｆ…分割電極、３１１ａ１〜３１１ｆ１…引出し部、３１２…内部電極層、３１２ａ〜３１２ｆ…分割電極、３１２ａ１〜３１２ｆ１…引出し部、３２１…内部電極層、３２１ａ，３２１ｂ…分割電極、３２１ａ１〜３２１ａ３，３２１ｂ１〜３２１ｂ３…引出し部、３２２…内部電極層、３２２ａ，３２２ｂ…分割電極、３２２ａ１〜３２２ａ３，３２２ｂ１〜３２２ｂ３…引出し部、４００…積層コンデンサ、４０１…積層チップ、４０２，４０３…外部電極、４０４…誘電体層、４１１…内部電極層、４１１ａ〜４１１ｈ…分割電極、４１１ａ１〜４１１ｈ１…引出し部、４１２…内部電極層、４１２ａ〜４１２ｈ…分割電極、４１２ａ１〜４１２ｈ１…引出し部、５００…積層コンデンサ、５０１…積層チップ、５０２，５０３…外部電極、５０４…誘電体層、５１１…内部電極層、５１１ａ，５１１ｂ…分割電極、５１１ａ１〜５１１ａ４，５１１ｂ１〜５１１ｂ４…引出し部、５１２…内部電極層、５１２ａ，５１２ｂ…分割電極、５１２ａ１〜５１２ａ４，５１２ｂ１〜５１２ｂ４…引出し部。
【図１】
2006278649.tif 000003
【図２】
2006278649.tif 000004
【図３】
2006278649.tif 000005
【図４】
2006278649.tif 000006
【図５】
2006278649.tif 000007
【図６】
2006278649.tif 000008
【図７】
2006278649.tif 000009
【図８】
2006278649.tif 000010
【図９】
2006278649.tif 000011
【図１０】
2006278649.tif 000012
【図１１】
2006278649.tif 000013
【図１２】
2006278649.tif 000014
【図１３】
2006278649.tif 000015
【図１４】
2006278649.tif 000016
【図１５】
2006278649.tif 000017
【図１６】
2006278649.tif 000018
【図１７】
2006278649.tif 000019
【図１８】
2006278649.tif 000020
【図１９】
2006278649.tif 000021
【図２０】
2006278649.tif 000022
【図２１】
2006278649.tif 000023
【図２２】
2006278649.tif 000024
【図２３】
2006278649.tif 000025
【図２４】
2006278649.tif 000026
【図２５】
2006278649.tif 000027
【図２６】
2006278649.tif 000028
【図２７】
2006278649.tif 000029
【図２８】
2006278649.tif 000030
【図２９】
2006278649.tif 000031
【図３０】
2006278649.tif 000032
【図３１】
2006278649.tif 000033
【図３２】
2006278649.tif 000034
【図３３】
2006278649.tif 000035
【図３４】
2006278649.tif 000036
【図３５】
2006278649.tif 000037
【図３６】
2006278649.tif 000038
【図３７】
2006278649.tif 000039
【図３８】
2006278649.tif 000040
【図３９】
2006278649.tif 000041
【図４０】
2006278649.tif 000042
【図４１】
2006278649.tif 000043
【図４２】
2006278649.tif 000044
【図４３】
2006278649.tif 000045
【図４４】
2006278649.tif 000046
【図４５】
2006278649.tif 000047
【図４６】
2006278649.tif 000048
【図４７】
2006278649.tif 000049
【図４８】
2006278649.tif 000050
【図４９】
2006278649.tif 000051
【図５０】
2006278649.tif 000052
【図５１】
2006278649.tif 000053
【図５２】
2006278649.tif 000054
【図５３】
2006278649.tif 000055
【図５４】
2006278649.tif 000056
【図５５】
2006278649.tif 000057
【図５６】
2006278649.tif 000058